(57)【要約】  多帯域幅部分環境におけるワイヤレス通信のための方法、システム、およびデバイスが説明される。有効帯域幅部分におけるサービングビーム障害に応答して、UEは、ランダムアクセス手順に対して有効帯域幅部分によって提供されるサポートのレベルを決定することができ、ランダムアクセス手順をサポートする非常(たとえば、フォールバック)帯域幅部分を決定することができる。いくつかの場合、UEは、以前のランダムアクセス手順のためにUEによって使用される初期帯域幅部分として非常帯域幅を特定し得る。いくつかの場合、基地局は、非常帯域幅部分の明示的な指示をUEに送信し得る。いくつかの場合、UEは、基準信号に基づいて非常帯域幅部分を特定し得る。非常帯域幅部分を決定すると、UEは、非常帯域幅部分を使用してランダムアクセス手順を実行し得る。
2021516464.tif 000002
【特許請求の範囲】
【請求項１】
ユーザ機器(UE)におけるワイヤレス通信のための方法であって、
ワイヤレス通信のために前記UEによって利用されるキャリアの有効帯域幅部分におけるサービングビームの障害を特定するステップと、
前記キャリアの前記有効帯域幅部分について、ランダムアクセス手順に対するサポートのレベルを決定するステップと、
前記サービングビームの前記障害およびサポートの前記レベルに少なくとも一部基づいて、前記ランダムアクセス手順をサポートする前記キャリアの非常帯域幅部分を決定するステップと、
前記キャリアの前記非常帯域幅部分を使用して前記ランダムアクセス手順を実行するステップとを備える、方法。
【請求項２】
以前のランダムアクセス手順に少なくとも一部基づいて、前記キャリアの前記非常帯域幅部分を決定するステップをさらに備える、請求項1に記載の方法。
【請求項３】
前記キャリアの前記非常帯域幅部分を決定するステップが、
前記以前のランダムアクセス手順のために使用されるものとして前記キャリアの初期帯域幅部分を特定するステップと、
前記キャリアの前記初期帯域幅部分として前記キャリアの前記非常帯域幅部分を決定するステップとを備える、請求項2に記載の方法。
【請求項４】
基地局から、前記キャリアの前記非常帯域幅部分の指示を受信するステップをさらに備える、請求項1に記載の方法。
【請求項５】
無線リソース制御(RRC)シグナリングを介して前記キャリアの前記非常帯域幅部分の前記指示を受信するステップをさらに備える、請求項4に記載の方法。
【請求項６】
前記キャリアの前記有効帯域幅部分において送信される基準信号に少なくとも一部基づいて、前記キャリアの前記非常帯域幅部分を決定するステップをさらに備える、請求項1に記載の方法。
【請求項７】
前記基準信号と、ランダムアクセスリソースを備えるビームとの間の対応付けを特定するステップと、
前記対応付けに少なくとも一部基づいて、前記キャリアの前記非常帯域幅部分を決定するステップとをさらに備える、請求項6に記載の方法。
【請求項８】
無線リソース制御(RRC)シグナリングを介して前記対応付けの指示を受信するステップをさらに備える、請求項7に記載の方法。
【請求項９】
前記基準信号が、前記ランダムアクセスリソースを備える前記ビームと準併置される、請求項7に記載の方法。
【請求項１０】
前記基準信号に少なくとも一部基づいてビーム候補を特定するステップをさらに備える、請求項6に記載の方法。
【請求項１１】
前記基準信号が、同期信号、チャネル状態情報基準信号(CSI-RS)、またはこれらの組合せを備える、請求項6に記載の方法。
【請求項１２】
前記キャリアの前記非常帯域幅部分を使用して前記ランダムアクセス手順を実行するステップが、
前記キャリアの前記有効帯域幅部分に対する存在可能なビーム候補の数を決定するステップと、
前記キャリアの前記有効帯域幅部分に対する存在可能なビーム候補の前記数に少なくとも一部基づいて、前記ランダムアクセス手順を選択するステップとを備える、請求項1に記載の方法。
【請求項１３】
前記ランダムアクセス手順を選択するステップが、
前記キャリアの前記有効帯域幅部分における存在可能なビーム候補の前記数が少なくとも1である場合、コンテンションフリーランダムアクセス手順として前記ランダムアクセス手順を選択するステップを備える、請求項12に記載の方法。
【請求項１４】
前記ランダムアクセス手順を選択するステップが、
前記キャリアの前記有効帯域幅部分における存在可能なビーム候補の前記数が0である場合、コンテンションベースランダムアクセス手順として前記ランダムアクセス手順を選択するステップを備える、請求項12に記載の方法。
【請求項１５】
前記キャリアの前記非常帯域幅部分を使用して前記ランダムアクセス手順を実行するステップが、
前記キャリアの前記非常帯域幅部分に対する存在可能なビーム候補の数を決定するステップと、
前記キャリアの前記非常帯域幅部分に対する存在可能なビーム候補の前記数に少なくとも一部基づいて、前記ランダムアクセス手順を選択するステップとを備える、請求項1に記載の方法。
【請求項１６】
前記ランダムアクセス手順を選択するステップが、
前記キャリアの前記非常帯域幅部分における存在可能なビーム候補の前記数が少なくとも1である場合、コンテンションフリーランダムアクセス手順として前記ランダムアクセス手順を選択するステップを備える、請求項15に記載の方法。
【請求項１７】
前記ランダムアクセス手順を選択するステップが、
前記キャリアの前記非常帯域幅部分における存在可能なビーム候補の前記数が0である場合、コンテンションベースランダムアクセス手順として前記ランダムアクセス手順を選択するステップを備える、請求項15に記載の方法。
【請求項１８】
前記キャリアの前記非常帯域幅部分が、前記キャリアの前記有効帯域幅部分である、請求項1に記載の方法。
【請求項１９】
前記キャリアの前記有効帯域幅部分が第1の帯域幅部分であり、
前記キャリアの前記非常帯域幅部分が第2の帯域幅部分である、請求項1に記載の方法。
【請求項２０】
ワイヤレス通信のための方法であって、
ワイヤレス通信のためのキャリアの有効帯域幅部分として前記キャリアの第1の帯域幅部分を利用するようにユーザ機器(UE)を構成するステップと、
前記UEに、後続のランダムアクセス手順のために使用すべき前記キャリアの非常帯域幅部分の指示を送信するステップとを備える、方法。
【請求項２１】
前記キャリアの前記非常帯域幅部分の前記指示を送信するステップが、
前記UEに、前記キャリアの前記有効帯域幅部分において基準信号を送信するステップと、
前記UEに、ランダムアクセスリソースを備えるビームを送信するステップと、
前記UEに、前記基準信号と、前記ランダムアクセスリソースを備える前記ビームとの間の対応付けの指示を送信するステップとを備える、請求項20に記載の方法。
【請求項２２】
前記対応付けの前記指示を送信するステップが、
無線リソース制御(RRC)シグナリングを介して前記対応付けの前記指示を送信するステップを備える、請求項21に記載の方法。
【請求項２３】
前記キャリアの前記非常帯域幅部分の前記指示を送信するステップが、
無線リソース制御(RRC)シグナリングを介して前記キャリアの前記非常帯域幅部分の明示的な指示を送信するステップを備える、請求項20に記載の方法。
【請求項２４】
前記キャリアの前記非常帯域幅部分の前記指示を送信するステップが、
前記UEによる以前のランダムアクセス手順に少なくとも一部基づいて、前記キャリアの前記非常帯域幅部分を決定するように前記UEを構成するステップを備える、請求項20に記載の方法。
【請求項２５】
前記キャリアの前記非常帯域幅部分が、前記キャリアの前記有効帯域幅部分である、請求項20に記載の方法。
【請求項２６】
前記キャリアの前記非常帯域幅部分が、第2の前記有効帯域幅部分である、請求項20に記載の方法。
【請求項２７】
ユーザ機器(UE)におけるワイヤレス通信のための装置であって、
ワイヤレス通信のために前記UEによって利用されるキャリアの有効帯域幅部分におけるサービングビームの障害を特定するための手段と、
前記キャリアの前記有効帯域幅部分について、ランダムアクセス手順に対するサポートのレベルを決定するための手段と、
前記サービングビームの前記障害およびサポートの前記レベルに少なくとも一部基づいて、前記ランダムアクセス手順をサポートする前記キャリアの非常帯域幅部分を決定するための手段と、
前記キャリアの前記非常帯域幅部分を使用して前記ランダムアクセス手順を実行するための手段とを備える、装置。
【請求項２８】
ワイヤレス通信のための装置であって、
ワイヤレス通信のためのキャリアの有効帯域幅部分として前記キャリアの第1の帯域幅部分を利用するようにユーザ機器(UE)を構成するための手段と、
前記UEに、後続のランダムアクセス手順のために使用すべき前記キャリアの非常帯域幅部分の指示を送信するための手段とを備える、装置。
【請求項２９】
ユーザ機器(UE)におけるワイヤレス通信のための装置であって、
プロセッサと、
前記プロセッサと電子的に通信しているメモリと、
前記メモリに記憶された命令とを備え、前記命令が、前記装置に、
ワイヤレス通信のために前記UEによって利用されるキャリアの有効帯域幅部分におけるサービングビームの障害を特定させ、
前記キャリアの前記有効帯域幅部分について、ランダムアクセス手順に対するサポートのレベルを決定させ、
前記サービングビームの前記障害およびサポートの前記レベルに少なくとも一部基づいて、前記ランダムアクセス手順をサポートする前記キャリアの非常帯域幅部分を決定させ、
前記キャリアの前記非常帯域幅部分を使用して前記ランダムアクセス手順を実行させる
ように前記プロセッサによって実行可能である、装置。
【請求項３０】
受信機と、
送信機と、
前記メモリに記憶された命令とを備え、前記命令が、前記装置に、
前記受信機を介して、基地局から構成情報を受信させ、
前記構成情報に少なくとも一部基づいて、前記キャリアの前記有効帯域幅部分を使用するように前記受信機または前記送信機を構成させる
ように前記プロセッサによって実行可能である、請求項29に記載の装置。
【請求項３１】
受信機と、
送信機と、
前記メモリに記憶された命令とを備え、前記命令が、前記装置に、
前記キャリアの前記非常帯域幅部分を決定したことに少なくとも一部基づいて、前記キャリアの前記非常帯域幅部分を使用するように前記受信機または前記送信機を構成させる
ように前記プロセッサによって実行可能である、請求項29に記載の装置。
【請求項３２】
ワイヤレス通信のための装置であって、
プロセッサと、
前記プロセッサと電子的に通信しているメモリと、
前記メモリに記憶された命令とを備え、前記命令が、前記装置に、
ワイヤレス通信のためのキャリアの有効帯域幅部分として前記キャリアの第1の帯域幅部分を利用するようにユーザ機器(UE)を構成させ、
前記UEへ、後続のランダムアクセス手順のために使用すべき前記キャリアの非常帯域幅部分の指示を送信させる
ように前記プロセッサによって実行可能である、装置。
【請求項３３】
ユーザ機器(UE)におけるワイヤレス通信のためのコードを記憶する非一時的コンピュータ可読媒体であって、前記コードが、
ワイヤレス通信のために前記UEによって利用されるキャリアの有効帯域幅部分におけるサービングビームの障害を特定し、
前記キャリアの前記有効帯域幅部分について、ランダムアクセス手順に対するサポートのレベルを決定し、
前記サービングビームの前記障害およびサポートの前記レベルに少なくとも一部基づいて、前記ランダムアクセス手順をサポートする前記キャリアの非常帯域幅部分を決定し、
前記キャリアの前記非常帯域幅部分を使用して前記ランダムアクセス手順を実行する
ようにプロセッサによって実行可能な命令を備える、非一時的コンピュータ可読媒体。
【請求項３４】
ワイヤレス通信のためのコードを記憶している非一時的コンピュータ可読媒体であって、前記コードが、
ワイヤレス通信のためのキャリアの有効帯域幅部分として前記キャリアの第1の帯域幅部分を利用するようにユーザ機器(UE)を構成し、
前記UEへ、後続のランダムアクセス手順のために使用すべき前記キャリアの非常帯域幅部分の指示を送信する
ようにプロセッサによって実行可能な命令を備える、非一時的コンピュータ可読媒体。
【発明の詳細な説明】
【技術分野】
【０００１】
以下は全般に、ワイヤレス通信に関し、より具体的には、多帯域幅部分環境におけるビーム回復に関する。
【背景技術】
【０００２】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することにより、複数のユーザとの通信をサポートすることが可能であり得る。そのような多元接続システムの例には、Long Term Evolution(LTE)システム、LTE-Advanced(LTE-A)システムまたはLTE-A Proシステムなどの第4世代(4G)システム、およびNew Radio(NR)システムと呼ばれることがある第5世代(5G)システムがある。これらのシステムは、符号分割多元接続(CDMA)、時分割多元接続(TDMA)、周波数分割多元接続(FDMA)、直交周波数多元接続(OFDMA)、または離散フーリエ変換拡散OFDM(DFT-S-OFDM)などの技法を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００３】
いくつかのワイヤレス通信システムでは、個々のキャリアが複数の部分へと再分割されることがあり、各部分がキャリア帯域幅より狭い帯域幅を有し、そのような部分は帯域幅部分を呼ばれることがある。いくつかの基地局およびUEはビームを使用して通信することもあり、これは指向性送信とも呼ばれることがある。多帯域幅部分環境におけるビーム回復のためのシステムおよび技法が望まれる。
【発明の概要】
【課題を解決するための手段】
【０００４】
説明される技法は、多帯域幅部分環境におけるビーム回復をサポートする、改善された方法、システム、デバイス、または装置に関する。一般に、説明される技法は、キャリアの有効帯域幅部分におけるサービングビーム障害の際にランダムアクセス手順を実行するためにユーザ機器(UE)が使用し得る、キャリアの非常帯域幅部分をUEが決定することを可能にする。
【０００５】
UEは最初に、初期帯域幅部分と呼ばれ得る、第1の帯域幅部分において基地局とのワイヤレス通信を確立し得る。その後、基地局は、基地局とのワイヤレス通信のために異なる帯域幅部分を使用するようにUEを構成し得る。所与の時間においてUEにより使用される帯域幅部分は、有効帯域幅部分と呼ばれ得る。有効帯域幅部分におけるサービングビーム障害に応答して、UEは、ランダムアクセス手順に対して有効帯域幅部分によって提供されるサポートのレベルを決定することができ、ランダムアクセス手順をサポートする非常(たとえば、フォールバック)帯域幅部分を決定することができる。いくつかの場合、UEは、非常帯域幅を初期帯域幅部分として特定し得る。いくつかの場合、基地局は、非常帯域幅部分の明示的な指示をUEに送信し得る。いくつかの場合、UEは、基準信号に基づいて非常帯域幅部分を特定し得る。非常帯域幅部分を決定すると、UEは、非常帯域幅部分を使用してランダムアクセス手順を実行し得る。
【０００６】
ユーザ機器UEにおけるワイヤレス通信のための方法が説明される。方法は、ワイヤレス通信のためにUEによって利用されるキャリアの有効帯域幅部分におけるサービングビームの障害を特定するステップと、キャリアの有効帯域幅部分について、ランダムアクセス手順に対するサポートのレベルを決定するステップと、サービングビームの障害およびサポートのレベルに少なくとも一部基づいて、ランダムアクセス手順をサポートするキャリアの非常帯域幅部分を決定するステップと、キャリアの非常帯域幅部分を使用してランダムアクセス手順を実行するステップとを含み得る。
【０００７】
ユーザ機器(UE)におけるワイヤレス通信のための装置が説明される。装置は、ワイヤレス通信のためにUEによって利用されるキャリアの有効帯域幅部分におけるサービングビームの障害を特定するための手段と、キャリアの有効帯域幅部分について、ランダムアクセス手順に対するサポートのレベルを決定するための手段と、サービングビームの障害およびサポートのレベルに少なくとも一部基づいて、ランダムアクセス手順をサポートするキャリアの非常帯域幅部分を決定するための手段と、キャリアの非常帯域幅部分を使用してランダムアクセス手順を実行するための手段とを含み得る。
【０００８】
ユーザ機器UEにおけるワイヤレス通信のための別の装置が説明される。装置は、プロセッサと、プロセッサと電子的に通信しているメモリと、メモリに記憶された命令とを含み得る。命令は、プロセッサに、ワイヤレス通信のためにUEによって利用されるキャリアの有効帯域幅部分におけるサービングビームの障害を特定させ、キャリアの有効帯域幅部分について、ランダムアクセス手順に対するサポートのレベルを決定させ、サービングビームの障害およびサポートのレベルに少なくとも一部基づいて、ランダムアクセス手順をサポートするキャリアの非常帯域幅部分を決定させ、キャリアの非常帯域幅部分を使用してランダムアクセス手順を実行させるように動作可能であり得る。
【０００９】
ユーザ機器UEにおけるワイヤレス通信のための非一時的コンピュータ可読媒体が説明される。非一時的コンピュータ可読媒体は、プロセッサに、ワイヤレス通信のためにUEによって利用されるキャリアの有効帯域幅部分におけるサービングビームの障害を特定させ、キャリアの有効帯域幅部分について、ランダムアクセス手順に対するサポートのレベルを決定させ、サービングビームの障害およびサポートのレベルに少なくとも一部基づいて、ランダムアクセス手順をサポートするキャリアの非常帯域幅部分を決定させ、キャリアの非常帯域幅部分を使用してランダムアクセス手順を実行させるように動作可能な命令を含み得る。
【００１０】
上で説明された方法、装置、および非一時的コンピュータ可読媒体のいくつかの例はさらに、受信機を介して、基地局から構成情報を受信し、構成情報に少なくとも一部基づいて、キャリアの有効帯域幅部分を使用するように受信機または送信機を構成するためのプロセス、特徴、手段、または命令を含み得る。
【００１１】
上で説明された方法、装置、および非一時的コンピュータ可読媒体のいくつかの例はさらに、キャリアの非常帯域幅部分を決定したことに少なくとも一部基づいて、キャリアの非常帯域幅部分を使用するように受信機または送信機を構成するためのプロセス、特徴、手段、または命令を含み得る。
【００１２】
上で説明された方法、装置、および非一時的コンピュータ可読媒体のいくつかの例はさらに、以前のランダムアクセス手順に少なくとも一部基づいてキャリアの非常帯域幅部分を決定するためのプロセス、特徴、手段、または命令を含み得る。
【００１３】
上で説明された方法、装置、および非一時的コンピュータ可読媒体のいくつかの例では、キャリアの非常帯域幅部分を決定することは、以前のランダムアクセス手順のために使用されるものとしてキャリアの初期帯域幅部分を特定することを備える。上で説明された方法、装置、および非一時的コンピュータ可読媒体のいくつかの例はさらに、キャリアの初期帯域幅部分としてキャリアの非常帯域幅部分を決定するためのプロセス、特徴、手段、または命令を含み得る。
【００１４】
上で説明された方法、装置、および非一時的コンピュータ可読媒体のいくつかの例はさらに、基地局から、キャリア非常帯域幅部分の指示を受信するためのプロセス、機能、手段、または命令を含み得る。
【００１５】
上で説明された方法、装置、および非一時的コンピュータ可読媒体のいくつかの例はさらに、無線リソース制御(RRC)シグナリングを介してキャリアの非常帯域幅部分の指示を受信するためのプロセス、特徴、手段、または命令を含み得る。
【００１６】
上で説明された方法、装置、および非一時的コンピュータ可読媒体のいくつかの例はさらに、キャリアの有効帯域幅部分において送信される基準信号に少なくとも一部基づいてキャリアの非常帯域幅部分を決定するためのプロセス、特徴、手段、または命令を含み得る。
【００１７】
上で説明された方法、装置、および非一時的コンピュータ可読媒体のいくつかの例はさらに、基準信号とランダムアクセスリソースを備えるビームとの間の対応付けを特定するためのプロセス、特徴、手段、または命令をさらに含み得る。上で説明された方法、装置、および非一時的コンピュータ可読媒体のいくつかの例はさらに、対応付けに少なくとも一部基づいてキャリアの非常帯域幅部分を決定するためのプロセス、特徴、手段、または命令を含み得る。
【００１８】
上で説明された方法、装置、および非一時的コンピュータ可読媒体のいくつかの例はさらに、RRCシグナリングを介して対応付けの指示を受信するためのプロセス、特徴、手段、または命令を含み得る。
【００１９】
上で説明された方法、装置、および非一時的コンピュータ可読媒体のいくつかの例では、基準信号は、ランダムアクセスリソースを備えるビームと準併置(quasi-colocate)され得る。
【００２０】
上で説明された方法、装置、および非一時的コンピュータ可読媒体のいくつかの例はさらに、基準信号に少なくとも一部基づいてビーム候補を特定するためのプロセス、特徴、手段、または命令を含み得る。
【００２１】
上で説明された方法、装置、および非一時的コンピュータ可読媒体のいくつかの例では、基準信号は、同期信号、チャネル状態情報基準信号(CSI-RS)、またはこれらの組合せを備える。
【００２２】
上で説明された方法、装置、および非一時的コンピュータ可読媒体のいくつかの例では、キャリアの非常帯域幅部分を使用してランダムアクセス手順を実行することは、キャリアの有効帯域幅部分に対する存在可能なビーム候補の数を決定することを備える。上で説明された方法、装置、および非一時的コンピュータ可読媒体のいくつかの例はさらに、キャリアの有効帯域幅部分に対する存在可能なビーム候補の数に少なくとも一部基づいてランダムアクセス手順を選択するためのプロセス、特徴、手段、または命令を含み得る。
【００２３】
上で説明された方法、装置、および非一時的コンピュータ可読媒体のいくつかの例では、ランダムアクセス手順を選択することは、キャリアの有効帯域幅部分における存在可能なビーム候補の数が少なくとも1である場合、コンテンションフリーランダムアクセス手順としてランダムアクセス手順を選択することを備える。
【００２４】
上で説明された方法、装置、および非一時的コンピュータ可読媒体のいくつかの例では、ランダムアクセス手順を選択することは、キャリアの有効帯域幅部分における存在可能なビーム候補の数が0である場合、コンテンションベースランダムアクセス手順としてランダムアクセス手順を選択することを備える。
【００２５】
上で説明された方法、装置、および非一時的コンピュータ可読媒体のいくつかの例では、キャリアの非常帯域幅部分を使用してランダムアクセス手順を実行することは、キャリアの非常帯域幅部分に対する存在可能なビーム候補の数を決定することを備える。上で説明された方法、装置、および非一時的コンピュータ可読媒体のいくつかの例はさらに、キャリアの非常帯域幅部分に対する存在可能なビーム候補の数に少なくとも一部基づいてランダムアクセス手順を選択するためのプロセス、特徴、手段、または命令を含み得る。
【００２６】
上で説明された方法、装置、および非一時的コンピュータ可読媒体のいくつかの例では、ランダムアクセス手順を選択することは、キャリアの非常帯域幅部分における存在可能なビーム候補の数が少なくとも1である場合、コンテンションフリーランダムアクセス手順としてランダムアクセス手順を選択することを備える。
【００２７】
上で説明された方法、装置、および非一時的コンピュータ可読媒体のいくつかの例では、ランダムアクセス手順を選択することは、キャリアの非常帯域幅部分における存在可能なビーム候補の数が0である場合、コンテンションベースランダムアクセス手順としてランダムアクセス手順を選択することを備える。
【００２８】
上で説明された方法、装置、および非一時的コンピュータ可読媒体のいくつかの例では、キャリアの非常帯域幅部分は、キャリアの有効帯域幅部分であり得る。
【００２９】
上で説明された方法、装置、および非一時的コンピュータ可読媒体のいくつかの例では、キャリアの有効帯域幅部分は第1の帯域幅部分であることがあり、キャリアの非常帯域幅部分は第2の帯域幅部分であることがある。
【００３０】
ワイヤレス通信の方法が説明される。方法は、ワイヤレス通信のためのキャリアの有効帯域幅部分としてキャリアの第1の帯域幅部分を利用するようにユーザ機器(UE)を構成するステップと、UEに、後続のランダムアクセス手順のために使用すべきキャリアの非常帯域幅部分の指示を送信するステップとを含み得る。
【００３１】
ワイヤレス通信のための装置が説明される。装置は、ワイヤレス通信のためのキャリアの有効帯域幅部分としてキャリアの第1の帯域幅部分を利用するようにユーザ機器(UE)を構成するための手段と、UEに、後続のランダムアクセス手順のために使用すべきキャリアの非常帯域幅部分の指示を送信するための手段とを含み得る。
【００３２】
ワイヤレス通信のための別の装置が説明される。装置は、プロセッサと、プロセッサと電子的に通信しているメモリと、メモリに記憶された命令とを含み得る。命令は、プロセッサに、ワイヤレス通信のためのキャリアの有効帯域幅部分としてキャリアの第1の帯域幅部分を利用するようにユーザ機器(UE)を構成させ、UEへ、後続のランダムアクセス手順のために使用すべきキャリアの非常帯域幅部分の指示を送信させるように動作可能であり得る。
【００３３】
ワイヤレス通信のための非一時的コンピュータ可読媒体が説明される。非一時的コンピュータ可読媒体は、プロセッサに、ワイヤレス通信のためのキャリアの有効帯域幅部分としてキャリアの第1の帯域幅部分を利用するようにユーザ機器(UE)を構成させ、UEへ、後続のランダムアクセス手順のために使用すべきキャリアの非常帯域幅部分の指示を送信させるように動作可能な命令を含み得る。
【００３４】
上で説明された方法、装置、および非一時的コンピュータ可読媒体のいくつかの例では、キャリアの非常帯域幅部分の指示を送信することは、UEに、キャリアの有効帯域幅部分において基準信号を送信することを備える。上で説明された方法、装置、および非一時的コンピュータ可読媒体のいくつかの例はさらに、UEに、ランダムアクセスリソースを備えるビームを送信するためのプロセス、特徴、手段、または命令を含み得る。上で説明された方法、装置、および非一時的コンピュータ可読媒体のいくつかの例はさらに、UEに、基準信号とランダムアクセスリソースを備えるビームとの間の対応付けの指示を送信するためのプロセス、特徴、手段、または命令を含み得る。
【００３５】
上で説明された方法、装置、および非一時的コンピュータ可読媒体のいくつかの例では、対応付けの指示を送信することは、RRCシグナリングを介して対応付けの指示を送信することを備える。
【００３６】
上で説明された方法、装置、および非一時的コンピュータ可読媒体のいくつかの例では、キャリアの非常帯域幅部分の指示を送信することは、RRCシグナリングを介してキャリアの非常帯域幅部分の明示的な指示を送信することを備える。
【００３７】
上で説明された方法、装置、および非一時的コンピュータ可読媒体のいくつかの例では、キャリアの非常帯域幅部分の指示を送信することは、UEによる以前のランダムアクセス手順に少なくとも一部基づいてキャリアの非常帯域幅部分を決定するようにUEを構成することを備える。
【００３８】
上で説明された方法、装置、および非一時的コンピュータ可読媒体のいくつかの例では、キャリアの非常帯域幅部分は、キャリアの有効帯域幅部分であり得る。
【００３９】
上で説明された方法、装置、および非一時的コンピュータ可読媒体のいくつかの例では、キャリアの非常帯域幅部分は、第2の帯域幅部分であり得る。
【図面の簡単な説明】
【００４０】
【図１】本開示の態様による、多帯域幅部分環境におけるビーム回復をサポートするワイヤレス通信のためのシステムの例を示す図である。
【図２】本開示の態様による、多帯域幅部分環境におけるビーム回復をサポートするキャリア構成の例を示す図である。
【図３】本開示の態様による、多帯域幅部分環境におけるビーム回復をサポートするプロセスの例を示す図である。
【図４】本開示の態様による、多帯域幅部分環境におけるビーム回復をサポートするプロセスの例を示す図である。
【図５】本開示の態様による、多帯域幅部分環境におけるビーム回復をサポートするプロセスの例を示す図である。
【図６】本開示の態様による、多帯域幅部分環境におけるビーム回復をサポートするプロセスの例を示す図である。
【図７】本開示の態様による、多帯域幅部分環境におけるビーム回復をサポートするデバイスのブロック図である。
【図８】本開示の態様による、多帯域幅部分環境におけるビーム回復をサポートするデバイスのブロック図である。
【図９】本開示の態様による、多帯域幅部分環境におけるビーム回復をサポートするデバイスのブロック図である。
【図１０】本開示の態様による、多帯域幅部分環境におけるビーム回復をサポートするUEを含むシステムのブロック図である。
【図１１】本開示の態様による、多帯域幅部分環境におけるビーム回復をサポートするデバイスのブロック図である。
【図１２】本開示の態様による、多帯域幅部分環境におけるビーム回復をサポートするデバイスのブロック図である。
【図１３】本開示の態様による、多帯域幅部分環境におけるビーム回復をサポートするデバイスのブロック図である。
【図１４】本開示の態様による、多帯域幅部分環境におけるビーム回復をサポートする基地局を含むシステムのブロック図である。
【図１５】本開示の態様による、多帯域幅部分環境におけるビーム回復のための方法を示す図である。
【図１６】本開示の態様による、多帯域幅部分環境におけるビーム回復のための方法を示す図である。
【発明を実施するための形態】
【００４１】
基地局およびUEなどの、ワイヤレス通信システムにおけるデバイスは、1つまたは複数のキャリアを使用して通信し得る。「キャリア」という用語は、通信リンクを介した通信をサポートするための定義された物理レイヤ構造を有する無線周波数スペクトルリソースのセットを指し得る。各キャリアは、対応する帯域幅(たとえば、400MHz)を有することがあり、いくつかの場合、異なるキャリアは異なる帯域幅を有することがある。キャリアが複数の部分への再分割されることがあり、各部分がキャリア帯域幅(たとえば、100MHz)より狭い帯域幅を有し、そのような部分は帯域幅部分を呼ばれることがある。たとえば、いくつかのデバイス(たとえば、いくつかのUE)は、キャリアの全体の帯域幅をサポートしないことがあるので、1つまたは複数の帯域幅部分を使用して通信することがある。いくつかの場合、UEは、初期帯域幅部分と呼ばれ得る、第1の帯域幅部分を使用して基地局との通信を確立することができ、UEはその後、異なる帯域幅部分に切り替えることができる。ワイヤレス通信のためにUEにより使用される帯域幅部分は、有効帯域幅部分と呼ばれ得る。いくつかの場合、キャリア内の一部の帯域幅部分のみが、UEによるランダムアクセスをサポートし得る。したがって、いくつかの場合、有効帯域幅部分はランダムアクセスをサポートしないことがある。
【００４２】
いくつかのワイヤレスデバイスはビームフォーミングも利用し得る。ビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局またはUE)において使用され得る、信号処理技法である。したがって、いくつかのワイヤレスデバイスは、1つまたは複数のビームを介して互いに通信し得る。ワイヤレス通信のためにUEにより使用されるビームは、サービングビームと呼ばれ得る。
【００４３】
サービングビームは時々障害を起こすことがある(たとえば、サービングビームの劣化したチャネル条件が原因で)。ランダムアクセスをサポートしない有効帯域幅部分をUEが使用しており、サービングビーム障害が起きる場合、基地局は、ランダムアクセスをサポートする異なる帯域幅部分を使用するようにUEを構成することが可能ではないことがある。加えて、1つの帯域幅部分におけるワイヤレス通信に対して存在可能な(たとえば、閾値未満のエラーレートをサポートする)ビームは、別の帯域幅部分において存在可能ではないことがある。たとえば、異なる帯域幅部分は異なる周波数範囲にわたり得るので、所与のビーム(たとえば、所与のビーム方向のビーム)に対するチャネル条件は、帯域幅部分ごとに異なり得る。これらのおよび他の問題が、多帯域幅部分環境におけるサービングビーム障害の際に、ビーム回復および通信の再確立を複雑にし得る。
【００４４】
本明細書で説明されるように、基地局およびUEなどのワイヤレスデバイスは、多帯域幅部分環境におけるビーム回復のための技法をサポートし得る。したがって、本明細書の技法は、いくつかの利益の中でも特に、多帯域幅部分環境におけるビームフォーミングされた通信を含むワイヤレス通信の信頼性を改善し、UEが(たとえば、基地局との)ワイヤレス通信を確立する能力を高めることができる。UEは、有効帯域幅部分におけるサービングビーム障害を特定することができ、ランダムアクセス手順のために有効帯域幅部分によって提供されるサポートのレベルを決定することができ、ランダムアクセス手順をサポートする非常(たとえば、フォールバック)帯域幅部分を決定することができる。いくつかの場合、UEは、以前のランダムアクセス手順に基づいて非常帯域幅部分を特定することができる(たとえば、非常帯域幅部分は、通信を確立するためにUEが以前に使用したものであり得る)。いくつかの場合、基地局は、サービングビーム障害の前に、非常帯域幅部分の明示的な指示をUEに送信し得る。いくつかの場合、UEは、基準信号に基づいて非常帯域幅部分を特定することができ、たとえば、基地局は、基準信号を送信することができ、基準信号と、UEがランダムアクセスのために使用し得るビームとの間の関係(たとえば、準併置(quasi-colocation))の指示を、UEに送信することもできる。非常帯域幅部分を決定すると、UEは、非常帯域幅部分を使用してランダムアクセス手順を実行し得る。
【００４５】
最初に、ワイヤレス通信システムの文脈で、本開示のこれらのおよび他の態様が説明される。本開示の態様はさらに、多帯域幅部分環境におけるビーム回復に関するプロセスフロー、装置図、システム図、およびフローチャートによって示され、それらを参照して説明される。
【００４６】
図1は、本開示の様々な態様による、ワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE Advanced(LTE-A)ネットワーク、LTE-A Proネットワーク、またはNew Radio(NR)ネットワークであり得る。いくつかの場合、ワイヤレス通信システム100は、拡張ブロードバンド通信、超高信頼性(たとえば、ミッションクリティカル)通信、低レイテンシ通信、または低コストで低複雑度のデバイスとの通信をサポートし得る。
【００４７】
基地局105は、1つまたは複数の基地局アンテナを介してUE115とワイヤレスに通信し得る。本明細書で説明される基地局105は、基地トランシーバ局、無線基地局、アクセスポイント、無線トランシーバ、NodeB、eNodeB(eNB)、(そのいずれもgNBと呼ばれることがある)次世代NodeBもしくはgiga-nodeB、Home NodeB、Home eNodeB、または何らかの他の好適な用語を含むことがあり、またはそのように当業者によって呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、リレー基地局などを含む、様々なタイプの基地局105およびネットワーク機器と通信することが可能であり得る。
【００４８】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００４９】
基地局105のための地理的カバレッジエリア110は、地理的カバレッジエリア110の一部分のみを構成するセクタに分割されることがあり、各セクタはセルと関連付けられることがある。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる、重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する異種LTE/LTE-A/LTE-A ProまたはNRネットワークを含み得る。
【００５０】
「セル」という用語は、(たとえば、キャリア上での)基地局105との通信のために使用される論理通信エンティティを指し、同じまたは異なるキャリアを介して動作する近隣のセルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things(NB-IoT)、拡張モバイルブロードバンド(eMBB)、または他のもの)に従って構成され得る。いくつかの場合、「セル」という用語は、その上で論理エンティティが動作する地理的カバレッジエリア110(たとえば、セクタ)の一部分を指し得る。
【００５１】
UE115は、ワイヤレス通信システム100全体にわたって分散していることがあり、各UE115は固定式または移動式であり得る。UE115は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115はまた、ワイヤレスローカルループ(WLL)局、Internet of Things(IoT)デバイス、Internet of Everything(IoE)デバイス、またはMTCデバイスなどを指すことがあり、これらは、家電機器、車両、メーターなどの様々な物品において実装されることがある。
【００５２】
MTCデバイスまたはIoTデバイスなどの、いくつかのUE115は、低コストまたは低複雑度のデバイスであることがあり、機械間の自動化された通信(たとえば、マシンツーマシン(M2M)通信を介した)を可能にすることがある。M2M通信またはMTCは、人が介在することなく、デバイスが互いにまたは基地局105と通信することを可能するデータ通信技術を指すことがある。いくつかの例では、M2M通信またはMTCは、センサーまたはメーターを統合して情報を測定または捕捉し、その情報を利用できる中央サーバもしくはアプリケーションプログラムにその情報を中継するか、またはプログラムもしくはアプリケーションと対話する人に情報を提示するデバイスからの通信を含み得る。いくつかのUE115は、情報を収集し、または機械の自動化された挙動を可能にするように設計され得る。MTCデバイスの用途の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースのビジネス課金を含む。
【００５３】
一部のUE115は、半二重通信(たとえば、送信または受信を介した一方向通信をサポートするが、同時の送信および受信をサポートしないモード)などの、電力消費を減らす動作モードを利用するように構成され得る。いくつかの例では、半二重通信は、低減されたピークレートで実行され得る。UE115のための他の電力節約技法は、アクティブな通信に関与しないとき、または(たとえば、狭帯域通信に従って)限られた帯域幅にわたって動作しているとき、電力を節約する「ディープスリープ」モードに入ることを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００５４】
いくつかの場合、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105が、D2D通信のためのリソースのスケジューリングを促進する。他の場合には、D2D通信は、基地局105が関与することなくUE115間で行われる。
【００５５】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００５６】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００５７】
基地局105などのネットワークデバイスのうちの少なくともいくつかは、アクセスネットワークエンティティなどの下位構成要素を含むことがあり、アクセスネットワークエンティティは、アクセスノードコントローラ(ANC)の例であることがある。各アクセスネットワークエンティティは、無線ヘッド、スマート無線ヘッド、または送受信ポイント(TRP)と呼ばれ得る、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されることがあり、または単一のネットワークデバイス(たとえば、基地局105)内に統合されることがある。
【００５８】
ワイヤレス通信システム100は、通常は300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長がおよそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００５９】
ワイヤレス通信システム100はまた、センチメートル帯域としても知られている、3GHzから30GHzまでの周波数帯域を使用する超高周波(SHF)領域の中で動作し得る。SHF領域は、他のユーザからの干渉を許容し得るデバイスによって日和見的に使用され得る5GHz産業科学医療(ISM)帯域などの帯域を含む。
【００６０】
ワイヤレス通信システム100は、ミリメートル帯域としても知られている、(たとえば、30GHzから300GHzの)スペクトルの極高周波(EHF)領域においても動作し得る。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さいことがあり、より間隔が密であることがある。いくつかの場合、これは、UE115内でのアンテナアレイの使用を容易にし得る。しかしながら、EHF送信の伝搬は、SHF送信またはUHF送信よりもさらに大きい大気減衰を受けることがあり、より距離が短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なり得る。
【００６１】
いくつかの場合、ワイヤレス通信システム100は、免許無線周波数スペクトル帯域と免許不要無線周波数スペクトル帯域の両方を利用し得る。たとえば、ワイヤレス通信システム100は、5 GHz ISM帯域などの免許不要帯域において、License Assisted Access(LAA)、LTE Unlicensed(LTE-U)無線アクセス技術、またはNR技術を利用し得る。免許不要無線周波数スペクトル帯域で動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するCCとともにCA構成に基づき得る(たとえば、LAA)。免許不要スペクトルでの動作は、ダウンリンク送信、アップリンク送信、ピアツーピア送信、またはこれらの組合せを含み得る。免許不要スペクトルにおける複信は、周波数分割複信(FDD)、時分割複信(TDD)、またはその両方の組合せに基づき得る。
【００６２】
いくつかの例では、基地局105またはUE115は複数のアンテナを装備することがあり、これらは、送信ダイバーシティ、受信ダイバーシティ、多入力多出力(MIMO)通信、またはビームフォーミングなどの技法を利用するために使用されることがある。たとえば、ワイヤレス通信システム100は、送信デバイス(たとえば、基地局105)と受信デバイス(たとえば、UE115)との間である送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームと関連付けられるビットを搬送し得る。異なる空間レイヤは、チャネル測定および報告のために使用される異なるアンテナポートに関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００６３】
上で紹介されたように、空間フィルタリング、指向性送信、または指向性受信とも呼ばれ得るビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに関して特定の方向に伝播する信号が強め合う干渉を受ける一方で、他の信号が弱め合う干渉を受けるように、アンテナアレイのアンテナ要素を介して通信される信号を合成することによって達成され得る。アンテナ要素を介して通信される信号の調整は、デバイスと関連付けられるアンテナ要素の各々を介して搬送される信号に何らかの振幅オフセットおよび位相オフセットを送信デバイスまたは受信デバイスが適用することを含み得る。アンテナ要素の各々と関連付けられる調整は、(たとえば、送信デバイスもしくは受信デバイスのアンテナアレイに対する、または何らかの他の方向に対する)特定の方向と関連付けられるビームフォーミング重みセットによって定義され得る。
【００６４】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は基地局105によって異なる方向に複数回送信されることがあり、これは、異なる送信方向と関連付けられる異なるビームフォーミング重みに従って信号が送信されることを含むことがある。異なるビーム方向への送信は、基地局105による後続の送信および/または受信のためのビーム方向を(たとえば、基地局105またはUE115などの受信デバイスによって)特定するために使用され得る。特定の受信デバイスと関連付けられるデータ信号などの一部の信号は、単一のビーム方向(たとえば、UE115などの受信デバイスと関連付けられる方向)に基地局105によって送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で受信した信号の指示、または別様に許容可能な信号品質を基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用することができる。
【００６５】
受信デバイス(たとえば、mmW受信デバイスの例であり得るUE115)は、同期信号、基準信号、ビーム選択信号、または他の制御信号などの、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に少なくとも一部基づいて決定されたビーム方向(たとえば、複数のビーム方向に従った聴取に少なくとも一部基づいて、最高の信号強度、最高の信号対雑音比、または別様に許容可能な信号品質を有すると決定されたビーム方向)に揃えられ得る。
【００６６】
いくつかの場合、基地局105またはUE115のアンテナは、MIMO動作をサポートし得る、または送信ビームフォーミングもしくは受信ビームフォーミングをサポートし得る、1つまたは複数のアンテナアレイ内に配置され得る。たとえば、1つもしくは複数の基地局アンテナまたはアンテナアレイは、アンテナタワーなどのアンテナアセンブリにおいて一緒に置かれ得る。いくつかの場合、基地局105と関連付けられるアンテナまたはアンテナアレイは、多様な地理的位置に配置され得る。基地局105は、基地局105がUE115との通信のビームフォーミングをサポートするために使用し得るアンテナポートのいくつかの行および列を伴うアンテナアレイを有し得る。同様に、UE115は、様々なMIMO動作またはビームフォーミング動作をサポートすることができる1つまたは複数のアンテナアレイを有し得る。
【００６７】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するためにパケットセグメント化および再アセンブリを実行し得る。媒体アクセス制御(MAC)レイヤは、優先度の処理およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００６８】
いくつかの場合、UE115および基地局105は、データが受信に成功する可能性を高めるためにデータの再送信をサポートすることができる。HARQフィードバックは、データがワイヤレス通信リンク125を介して正確に受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)においてMACレイヤにおけるスループットを改善し得る。いくつかの場合、ワイヤレスデバイスが同一スロットHARQフィードバックをサポートすることがあり、同一スロットHARQフィードバックにおいて、デバイスは、特定のスロット中の前のシンボルにおいて受信されたデータに対するHARQフィードバックを、そのスロットにおいて提供し得る。他の場合には、デバイスは、後続のスロット中で、または何らかの他の時間間隔に従ってHARQフィードバックを提供し得る。
【００６９】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の時間長を各々有する無線フレームに従って編成されることがあり、ここでフレーム期間はTf=307,200Tsと表されることがある。無線フレームは、0から1023に及ぶシステムフレーム番号(SFN)によって識別され得る。各フレームは0から9の番号が付けられた10個のサブフレームを含むことがあり、各サブフレームは1msの時間長を有することがある。サブフレームはさらに、各々0.5msの時間長を有する2つのスロットへと分割されることがあり、各スロットが、6個または7個の変調シンボル期間(たとえば、各シンボル期間の先頭に追加される巡回プレフィックスの長さに依存する)を含むことがある。サイクリックプレフィックスを除いて、各シンボル期間は、2048個のサンプル期間を含み得る。いくつかの場合、サブフレームは、ワイヤレス通信システム100の最も小さいスケジューリング単位であることがあり、送信時間間隔(TTI)と呼ばれることがある。他の場合には、ワイヤレス通信システム100の最小スケジューリング単位はサブフレームよりも短いことがあるか、または(たとえば、短縮TTI(sTTI)のバーストにおいて、またはsTTIを使用する選択されたコンポーネントキャリアにおいて)動的に選択されることがある。
【００７０】
いくつかのワイヤレス通信システムでは、スロットはさらに、1つまたは複数のシンボルを含む複数のミニスロットへと分割され得る。いくつかの事例では、ミニスロットのシンボルまたはミニスロットがスケジューリングの最小単位であり得る。各シンボルは、たとえば、サブキャリア間隔または動作周波数帯域に依存して、時間長が変動し得る。さらに、一部のワイヤレス通信システムは、UE115と基地局105との間の通信のために複数のスロットまたはミニスロットが一緒に集約されて使用される、スロットアグリゲーションを実装し得る。
【００７１】
上で紹介されたように、「キャリア」という用語は、通信リンク125上で通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前に定義された周波数チャネル(たとえば、E-UTRA絶対無線周波数チャネル番号(EARFCN))と関連付けられることがあり、UE115による発見のためにチャネルラスタに従って配置されることがある。キャリアは、ダウンリンクまたはアップリンク(たとえば、FDDモードの)であることがあり、またはダウンリンク通信およびアップリンク通信を(たとえば、TDDモードで)搬送するように構成されることがある。いくつかの例では、キャリアを介して送信される信号波形は、(たとえば、OFDMまたはDFT-s-OFDMなどのマルチキャリア変調(MCM)技法を使用して)複数のサブキャリアから構成され得る。
【００７２】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の取得シグナリング(たとえば、同期信号またはシステム情報など)と、キャリアのための動作を協調させる制御シグナリングとを含み得る。いくつかの例(たとえば、キャリアアグリゲーション構成における)では、キャリアはまた、他のキャリアのための動作を協調させる取得シグナリングまたは制御シグナリングを有し得る。
【００７３】
物理チャネルは、様々な技法に従ってキャリア上で多重化され得る。物理制御チャネルおよび物理データチャネルは、ダウンリンクチャネル上で、たとえば、時分割多重化(TDM)技法、周波数分割多重化(FDM)技法、またはハイブリッドTDM-FDM技法を使用して多重化され得る。いくつかの例では、物理制御チャネル内で送信される制御情報は、カスケード方式における異なる制御領域間(たとえば、共通の制御領域または共通の探索空間と1つまたは複数のUE固有の制御領域またはUE固有の探索空間との間)で分散され得る。
【００７４】
キャリアは、無線周波数スペクトルの特定の帯域幅と関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅(たとえば、1.4、3、5、10、15、20、40、80、400MHzなど)のうちの1つであり得る。
【００７５】
MCM技法を利用するシステムでは、リソース要素は、1つのシンボル期間(たとえば、1つの変調シンボルの時間長)および1つのサブキャリアからなることがあり、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、かつ変調方式の次数が高いほど、UE115に対するデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用はさらに、UE115との通信のデータレートを上げることができる。
【００７６】
ワイヤレス通信システム100のデバイス(たとえば、基地局105またはUE115)は、特定のキャリア帯域幅を介した通信をサポートするハードウェア構成を有することがあり、または、キャリア帯域幅のセットのうちの1つを介した通信をサポートするように構成可能であることがある。いくつかの例では、ワイヤレス通信システム100は、複数の異なるキャリア帯域幅と関連付けられるキャリアを介した同時通信をサポートすることができる基地局105および/またはUEを含み得る。
【００７７】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【００７８】
いくつかの場合、ワイヤレス通信システム100は拡張コンポーネントキャリア(eCC)を利用し得る。eCCは、より広いキャリア帯域幅または周波数チャネル帯域幅、より短いシンボル期間長、より短いTTI期間長、または修正された制御チャネル構成を含む、1つまたは複数の特徴によって特徴付けられ得る。いくつかの場合、eCCは、(たとえば、複数のサービングセルが準最適または理想的でないバックホールリンクを有するとき)キャリアアグリゲーション構成またはデュアル接続性構成と関連付けられ得る。eCCはまた、(2つ以上の事業者が、スペクトルを使用することを許可された場合)免許不要スペクトルまたは共有スペクトルにおいて使用するために構成され得る。広いキャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る、1つまたは複数のセグメントを含み得る。
【００７９】
いくつかの場合、eCCは、他のCCとは異なるシンボル時間長を利用することがあり、このことは、他のCCのシンボル時間長と比較して短縮されたシンボル時間長の使用を含むことがある。より短いシンボル時間長は、隣接するサブキャリア間の間隔の増大と関連付けられ得る。eCCを利用するUE115または基地局105などのデバイスは、短縮されたシンボル時間長(たとえば、16.67マイクロ秒)において、広帯域信号(たとえば、20、40、60、80MHzなどの周波数チャネルまたはキャリア帯域幅に従った)を送信し得る。eCCにおけるTTIは、1個または複数のシンボルからなり得る。いくつかの場合、TTI時間長(すなわち、TTI中のシンボル期間の数)は可変であり得る。
【００８０】
NRシステムなどのワイヤレス通信システムは、とりわけ、免許スペクトル帯域、共有スペクトル帯域、および免許不要スペクトル帯域の任意の組合せを利用することができる。eCCシンボル時間長およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有を通じて、NR共有スペクトルは、スペクトル利用率およびスペクトル効率を高め得る。
【００８１】
いくつかの例では、各々のサービスされるUE115は、キャリア帯域幅のいくつかの部分またはすべてにわたって動作するために構成され得る。上で紹介されたように、キャリア帯域幅の一部分は帯域幅部分と呼ばれることがあり、ある所与の時点でワイヤレス通信のためにUEによって活動的に使用される帯域幅部分は有効帯域幅部分と呼ばれることがある。基地局105およびUE115は、ビーム回復のために本明細書で説明される技法をサポートすることができ、これは、有効帯域幅部分におけるサービングビーム障害の後に、ランダムアクセス手順を介して通信を確立することを含み得る。
【００８２】
図2は、本開示の様々な態様による、多帯域幅部分環境を含むキャリア構成200の例を示す。いくつかの例では、キャリア構成200は、ワイヤレス通信システム100の態様によって実装され得る。たとえば、基地局105はキャリア構成200を実装し得る。
【００８３】
キャリア構成200は、各々が複数の帯域幅部分210を備える、複数のキャリア205を含む。キャリア205は比較的広い帯域幅(たとえば、400MHz)を有することがあり、帯域幅部分210は比較的狭い帯域幅(たとえば、100MHz)を有することがある。キャリア205-aは、帯域幅部分210-a、帯域幅部分210-b、帯域幅部分210-c、および帯域幅部分210-dを備える。キャリア205-bは、帯域幅部分210-e、帯域幅部分210-f、帯域幅部分210-g、および帯域幅部分210-hを備える。キャリア205-cは、帯域幅部分210-i、帯域幅部分210-j、帯域幅部分210-k、および帯域幅部分210-lを備える。
【００８４】
キャリア構成200の例は、各々が4つの帯域幅部分210を含む3つのキャリア205を含むが、ワイヤレス通信システム100は、キャリア205当たり任意の数の帯域幅部分210を含む、任意の数のキャリア205および任意の数の帯域幅部分210をサポートすることができ、キャリア205当たりの帯域幅部分210の数はキャリア205ごとに変化し得ることが、理解されるであろう。さらに、キャリア構成200の例における各キャリア205は同じキャリア帯域幅を有するが、異なるキャリア205は異なる帯域幅を有し得ることを理解されたい。異なる帯域幅部分210は同様に、異なる帯域幅を有し得る。
【００８５】
帯域幅部分210は、バッファ周波数範囲(たとえば、キャリア205-a内の帯域幅部分210-aおよび帯域幅部分210-b)によって周波数が分離されることがあり、または、周波数が隣接している(たとえば、キャリア205-b内の帯域幅部分210-eおよび帯域幅部分210-f)ことがある。いくつかの場合、帯域幅部分210は、周波数が重複していることがある(たとえば、キャリア205-c内の帯域幅部分210-jおよび帯域幅部分210-i)。周波数が重複する帯域幅部分210は重複していると呼ばれることがあり、周波数が重複しない帯域幅部分210は直交していると呼ばれることがある。
【００８６】
いくつかのUE115は、キャリア205の帯域幅全体をサポートしないことがある(たとえば、コスト、複雑さ、またはUE115の電力制約により)。したがって、基地局105は、各々がUE115によってサポートされる帯域幅を有する、1つまたは複数の帯域幅部分210を使用するようにUE115を構成し得る。たとえば、基地局105は、RRCシグナリングを介して(たとえば、RRCプロトコルを使用して)1つまたは複数の帯域幅部分210を使用するようにUE115を構成し得る。
【００８７】
いくつかの場合、UE115は、ダウンリンク通信のために構成される1つの有効帯域幅部分210と、アップリンク通信のために構成される別の有効帯域幅部分210とを同時に有し得る。いくつかの基地局105は、ある時間におけるダウンリンク通信のために構成される多くて1つの有効帯域幅部分210およびある時間におけるアップリンク通信のための多くて1つの有効帯域幅部分210に、UE115を制限し得る。
【００８８】
各々の構成された帯域幅部分210に対して、基地局105は、帯域幅部分210の帯域幅、帯域幅部分210の周波数(たとえば、周波数境界)、および帯域幅部分210のヌメロロジーを構成し得る。帯域幅部分210のヌメロロジーは、サブキャリア間隔および帯域幅部分のシンボル時間長を含み得る。いくつかの場合、ワイヤレス通信システム100は複数のヌメロロジーをサポートすることがあり、基地局105は各々の構成された帯域幅部分210のヌメロロジーを決定して構成することがある。いくつかの場合、ヌメロロジーは2のべき乗によって基本ヌメロロジーに対してスケーリングされることがあり、基地局105は、2のべき乗を表すパラメータの指示をUE115に送信することによって、帯域幅部分210のヌメロロジーをUE115に示すことがあり、たとえば、所与のヌメロロジーは、基本サブキャリア間隔と2μを乗じたものに等しいサブキャリア間隔を有することがあり、基地局はμの指示をUE115に送信することによってヌメロロジーをUE115に示すことがある。
【００８９】
図3は、本開示の様々な態様による、多帯域幅部分環境におけるビーム回復をサポートするプロセス300の例を示す。いくつかの例では、プロセス300は、ワイヤレス通信システム100の態様によって実施され得る。たとえば、プロセス300は、図1を参照して説明されたような基地局105およびUE115の例であり得る、基地局105-aおよびUE115-aによって実施され得る。
【００９０】
305において、UE115-aおよび基地局105-aは、サービングビームを介して互いとのワイヤレス通信を確立するために、1つまたは複数のメッセージを交換し得る。たとえば、UE115-aは以前にRRCアイドル状態にあった可能性があり、305において、UE115-aおよび基地局105-aはランダムアクセス手順を実行し得る。別の例として、UE115-aは以前にRRC接続状態にあった可能性があり、305において、UE115-aおよび基地局105-aは、サービングビームを介して通信を確立するために、(たとえば、1つまたは複数のビーム候補と関連付けられる信号品質に基づいて)ビーム選択手順を実行し得る。
【００９１】
310において、UE115-aはサービングビームの障害を特定(たとえば、検出)し得る。いくつかの場合、UE115-aは、サービングビームと関連付けられるエラーレートに基づいて、サービングビームの障害を検出し得る。たとえば、UE115-aは、サービングビームと関連付けられるエラーレートを決定することができ、エラーレートを閾値と比較することができ、エラーレートが閾値を満たす、または超える場合、サービングビームの障害を特定することができる。エラーレートはブロックエラー比(BLER)であることがあり、UE115-aは、サービングビームによって搬送される物理ダウンリンク制御チャネル(PDCCH)のためのBLERを決定し得る。UE115-aは、PHYレイヤにおけるサービングビームの障害を特定することができ、PHYレイヤは、サービングビームの障害の指示をMACレイヤに送信することができる。
【００９２】
315において、UE115-aは、1つまたは複数の存在可能なビーム候補を特定し得る。ビーム候補は、基地局105-aによって送信されるビームであることがあり、ビーム候補は、UE115-aと基地局105-aとの間のワイヤレス通信をサポートすることが可能である場合、存在可能であることがある。UE115-aは、基地局105-aによって送信される1つまたは複数のビーム候補を特定し、各々の特定されたビーム候補に対して、その存在可能性(たとえば、ビーム候補の存在可能性のレベル、またはビーム候補が存在可能であるかどうか)を決定することによって、1つまたは複数の存在可能なビーム候補を特定し得る。UE115-aが315において1つより多くの存在可能なビーム候補を特定するとき、UE115-aは存在可能なビームのうちの1つを選択し得る(たとえば、最高のRSRPを有するビーム候補を選択し得る)。
【００９３】
いくつかの場合、UE115-aは、ビーム候補によって搬送される基準信号に基づいて、ビーム候補の存在可能性を決定し得る。たとえば、UE115-aは、基準信号の基準信号受信電力(RSRP)を決定し(たとえば、測定し)、RSRPを閾値と比較し得る。UE115-aは、RSRPが閾値を超える場合、ビーム候補が存在可能であると決定することができ、そうではない場合、UE115-aはビーム候補が存在可能ではないと決定することができる。いくつかの場合、UE115-aは、レイヤ1(L1)とも呼ばれ得るPHYレイヤにおいて基準信号のRSRPを測定し得るので、ビーム候補の存在可能性を決定するために使用される測定されたRSRPは、L1 RSRPであり得る。さらに、いくつかの場合、UE115-aはL1フィルタを使用し得るので、ビーム候補の存在可能性を決定するために使用される測定されたRSRPは、フィルタリングされたL1 RSRPであり得る。
【００９４】
UE115-aが基準ビームの存在可能性をそれに基づいて決定する基準信号は、同期関連基準信号もしくはチャネル状態情報基準信号(CSI-RS)、またはこれらの組合せであることがある(たとえば、存在可能性の決定は、同期関連基準信号とCSI-RSの両方に基づくことがある)。いくつかの場合、同期関連基準信号は、同期信号(SS)ブロック(SSB)に含まれることがあり、SSBは基地局105-aによってビーム掃引される(たとえば、定期的なスケジュールなどのスケジュールに従って、異なる方向に(たとえば、異なるビームを介して)繰り返し送信される)ことがある。SSBは、一次同期信号(PSS)または二次同期信号(SSS)を含むことがあり、グループとしてビーム掃引される一連のSSBは、SSバーストと呼ばれることがある。
【００９５】
320において、UE115-aは、選択されたビーム候補を介してビーム回復要求を基地局105-aに送信し得る。ビーム回復要求は、選択されたビーム候補に関する情報を含むことがあり、この情報は、選択されたビーム候補を介してUE115-aとのワイヤレス通信を再確立するかどうかを決定するために、基地局105-aによって使用され得る。選択されたビーム候補が専用のランダムアクセスリソース(たとえば、物理ランダムアクセスチャネル(PRACH))を含むとき、UE115-aはコンテンションフリーランダムアクセス(CFRA)手順を開始し得る。たとえば、UE115-aは、専用のランダムアクセスリソースを使用してビーム回復要求を送信し得る。いくつかの場合、UE115-aは、選択されたビーム候補が閾値を超える品質尺度(たとえば、RSRP)も有する場合にのみCFRAを使用することができ、この閾値は、ビーム候補の存在可能性を決定するために使用されるのと同じ閾値、またはCFRAを使用するかどうかを決定することに固有の異なる閾値であり得る。選択されたビーム候補が専用のランダムアクセスリソースを含まないとき(または、いくつかの場合、ビーム候補の品質尺度が閾値未満である場合)、UE115-aは、コンテンションベースランダムアクセス手順(CBRA)を開始し得る。
【００９６】
325において、UE115-aは、基地局105-aからのビーム回復応答を監視し得る。いくつかの場合、UE115-aは、UE115-aと関連付けられるセルRNTI(C-RNTI)であり得る無線ネットワーク一時識別子(RNTI)に宛てられるPDCCHを監視することによって、ビーム回復応答を監視し得る。さらに、いくつかの場合、UE115-aは、ビーム回復要求に続く時間長内でビーム回復応答を監視することができ、この時間長はRRCシグナリングを介して基地局105-aによってUE115-aのために構成され得る。
【００９７】
いくつかの場合、330において、ビーム回復応答を、基地局105-aは送信することができ、UE115-aは受信することができる。ビーム回復応答は、UE115-aが基地局105-aとの後続のワイヤレス通信のためにビーム回復要求と関連付けられる選択されたビーム候補を使用し得るかどうかを示し得る。いくつかの場合、ビーム回復応答はランダムアクセス応答を含み得る。ビーム回復要求に続いて、UE115-aがビーム回復応答を受信しない(たとえば、関連する時間長内にビーム回復応答を受信しない)場合、UE115-aは、ビーム回復要求が拒否されたかのように進行することができ、別のビーム回復要求を送信することができる。
【００９８】
プロセス300などのビーム回復は、より少数の動作を含むことがあるので、無線リンク障害(RLF)手順より相対的に、効率およびレイテンシの利益をもたらし得る。
【００９９】
図4は、本開示の様々な態様による、多帯域幅部分環境におけるビーム回復をサポートするプロセス400の例を示す。いくつかの例では、プロセス400は、ワイヤレス通信システム100の態様によって実施され得る。たとえば、プロセス400は、図1を参照して説明されたような基地局105およびUE115の例であり得る、基地局105-bおよびUE115-bによって実施され得る。
【０１００】
405において、UE115-bおよび基地局105-bは、初期帯域幅部分においてワイヤレス通信を確立するために、1つまたは複数のメッセージを交換し得る。たとえば、UE115-aは以前にRRCアイドル状態にあった可能性があり、305において、UE115-bおよび基地局105-bはランダムアクセス手順を実行し得る。初期帯域幅部分はランダムアクセスリソース(たとえば、PRACH)を含むことがあり、UE115-bは、初期帯域幅部分においてワイヤレス通信を確立するために、初期帯域幅部分におけるランダムアクセスリソースを使用し得る。
【０１０１】
いくつかの場合、基地局105-bは、初期帯域幅部分を使用するようにUE115-bを構成し得る。たとえば、基地局105-bは、UE115-bの識別子(たとえば、ランダム移動体加入者識別番号(RMSI)またはRNTI)を用いて符号化されるSSBを、初期帯域幅部分において送信し得る。UE115-bは、UE115-bの識別子を用いて符号化されたSSBを探す(たとえば、監視する)ことができ、UE115-bの識別子を用いて符号化されたSSBを特定すると、SSBがそれを介して送信される帯域幅部分が、UE115-bが基地局105-bとのワイヤレス通信を確立するために使用すべき初期帯域幅部分であると決定することができる。UE115-bおよび基地局105-bがビームフォーミングを使用するとき、UE115-bおよび基地局105-bはまた、405において、初期サービングビームを使用して通信を確立することができる(たとえば、プロセス300を参照して説明されたように)。
【０１０２】
410において、基地局105-bは、基地局105-bとのワイヤレス通信のための有効帯域幅部分として使用するために異なる帯域幅部分(初期帯域幅部分とは異なる)に切り替えるようにUE115-bを構成し得る。410において構成される有効帯域幅部分は、アップリンク帯域幅部分またはダウンリンク帯域幅部分であり得る。いくつかの場合、基地局105-bは、1つまたは複数のダウンリンク制御情報(DCI)メッセージを介して有効帯域幅部分に切り替えるようにUE115-bを構成し得る。いくつかの場合、基地局105-bは、RRCシグナリングを介して有効帯域幅部分に切り替えるようにUE115-bを構成し得る。UE115-bおよび基地局105-bはまた、410において、有効帯域幅部分において新しいサービングビームを使用して通信を確立することができ、または、初期帯域幅部分において使用されるサービングビームを使用し続けることができる(たとえば、サービングビームの周波数は変化し得るが、他のビームパラメータ(たとえば、ビーム方向)は変化しないままである)。プロセス400の例は1回だけの帯域幅部分の切り替えを示すが、任意の回数の帯域幅部分の切り替えが起こり得ることを理解されたい。
【０１０３】
415において、UE115-bは、有効帯域幅部分においてサービングビームの障害を特定し得る。UE115-bは、プロセス300を参照して説明されたようなサービングビームの障害を特定し得る。
【０１０４】
420において、UE115-bは、有効帯域幅部分について、ランダムアクセス手順に対するサポートのレベルを決定し得る。たとえば、UE115-bは、有効帯域幅部分がランダムアクセスをサポートするかしないかを決定し得る。いくつかの場合、UE115-bは、有効帯域幅部分がランダムアクセスリソース(たとえば、PRACH)を含むかどうかに基づいて、ランダムアクセス手順に対するサポートのレベルを決定し得る。
【０１０５】
425において、UE115-bは、415において有効帯域幅部分におけるサービングビームの障害を特定したこと、および/または420においてランダムアクセス手順に対するサポートのレベルを決定したことに基づいて(たとえば、それに応答して)、非常帯域幅部分を決定し得る。非常(たとえば、フォールバック)帯域幅部分は、ランダムアクセス手順をサポートする、かつ基地局105-bとのワイヤレス通信を再確立するためにUE115-bが使用すべき、帯域幅部分であり得る。
【０１０６】
420において決定されたサポートのレベルが十分である場合(たとえば、有効帯域幅部分がランダムアクセスをサポートする場合)、UE115-bは、非常帯域幅部分が有効帯域幅部分であると決定し得る。420において決定されたサポートのレベルが不十分である場合(たとえば、有効帯域幅部分がランダムアクセスをサポートしない場合)、UE115-bは、非常帯域幅部分が初期帯域幅部分であると決定し得る。したがって、UE115-bはいくつかの場合、UE115-bによって以前のランダムアクセス手順に基づいて非常帯域幅部分を決定し得る。たとえば、UE115-bは405において、初期帯域幅部分に関する情報を記憶し得るので、初期帯域幅部分がランダムアクセスを十分にサポートすることを知っていることがある。
【０１０７】
430において、425において決定された非常帯域幅部分が有効帯域幅部分と異なる場合、UE115-bは、425において決定された非常帯域幅部分を利用することに切り替え得る。非常帯域幅部分に切り替えることは、非常帯域幅部分を使用するようにUE115-bに含まれる送信機または受信機を構成することを含み得る。
【０１０８】
435において、UE115-bおよび基地局105-bは、425において決定された非常帯域幅部分を使用してランダムアクセス手順を実行し得る。たとえば、UE115-bは、ビーム回復要求(たとえば、プロセス300を参照して説明されたようなビーム回復要求)を基地局105-bに送信し得る。
【０１０９】
いくつかの場合、UE115-bは、有効帯域幅部分に含まれる存在可能なビーム候補の数に基づいて、435において実行されるランダムアクセス手順を決定し得る。たとえば、UE115-bは、(たとえば、310におけるサービングビームの障害の特定の後または前に起こり得る、プロセス300を参照して説明されたように存在可能なビーム候補を特定することによって)有効帯域幅部分に含まれる存在可能なビーム候補の数を決定することができ、有効帯域幅部分に含まれる存在可能なビーム候補の数が閾値を満たす、または超える場合、CFRA手順を選択することができ、有効帯域幅部分に含まれる存在可能なビーム候補の数が閾値未満である場合、CBRA手順を選択することができる。いくつかの場合、閾値は1であることがあり、UE115-bは、有効帯域幅部分が少なくとも1つの存在可能なビーム候補を含む場合、CFRA手順を選択することができ、UE115-bは、有効帯域幅部分が存在可能なビーム候補を含まない場合、CBRA手順を選択することができる。いくつかの場合、UE115-bは、有効帯域幅部分について、420においてランダムアクセスに対するサポートのレベルを決定する前に、435において実行されるランダムアクセス手順を決定し得るが、UE115-bは435において実行されるランダムアクセス手順をいつでも決定し得ることを理解されたい。
【０１１０】
いくつかの場合、UE115-bは、非常帯域幅部分に含まれる存在可能なビーム候補の数に基づいて、435において実行されるランダムアクセス手順を決定し得る。たとえば、UE115-bは、(たとえば、310におけるサービングビームの障害の特定の後または前に起こり得る、プロセス300を参照して説明されたように存在可能なビーム候補を特定することによって)非常帯域幅部分に含まれる存在可能なビーム候補の数を決定することができ、非常帯域幅部分に含まれる存在可能なビーム候補の数が閾値を満たす、または超える場合、CFRA手順を選択することができ、非常帯域幅部分に含まれる存在可能なビーム候補の数が閾値未満である場合、CBRA手順を選択することができる。いくつかの場合、閾値は1であることがあり、UE115-bは、非常帯域幅部分が少なくとも1つの存在可能なビーム候補を含む場合、CFRA手順を選択することができ、UE115-bは、非常帯域幅部分が存在可能なビーム候補を含まない場合、CBRA手順を選択することができる。いくつかの場合、UE115-bは、425において非常帯域幅部分を決定した後に、435において実行されるランダムアクセス手順を決定し得るが、UE115-bは435において実行されるランダムアクセス手順をいつでも決定し得ることを理解されたい。
【０１１１】
プロセス400は単一の非常帯域幅部分を利用するが、プロセス400は、任意の数の非常帯域幅部分を利用するように修正され得ることを理解されたい。たとえば、425において、UE115-bは、アップリンクに対して1つおよびダウンリンクに対して1つの、非常帯域幅部分のペアを決定することができ、UE115-bは、435において実行されるランダムアクセス手順のアップリンクの態様のために決定された非常帯域幅部分のうちの一方を使用し、435において実行されるランダムアクセス手順のダウンリンクの態様のために決定された非常帯域幅部分のうちの他方を使用する。たとえば、UE115-bは、非常帯域幅部分のペアを有効アップリンク帯域幅部分および有効ダウンリンク帯域幅部分として決定することができ、または、非常帯域幅部分のペアを初期アップリンク帯域幅部分および初期ダウンリンク帯域幅部分として決定することができる。
【０１１２】
図5は、本開示の様々な態様による、多帯域幅部分環境におけるビーム回復をサポートするプロセス500の例を示す。いくつかの例では、プロセス500は、ワイヤレス通信システム100の態様によって実施され得る。たとえば、プロセス500は、図1を参照して説明されたような基地局105およびUE115の例であり得る、基地局105-cおよびUE115-cによって実施され得る。
【０１１３】
505において、UE115-cおよび基地局105-cは、(たとえば、プロセス400の態様405を参照して説明されたように)初期帯域幅部分においてワイヤレス通信を確立するために、1つまたは複数のメッセージを交換し得る。
【０１１４】
510において、基地局105-cは、後続のサービングビーム障害の際にUE115-cがビーム回復およびランダムアクセスのために使用すべき非常帯域幅部分の指示(たとえば、明示的な指示)をUE115-cに送信し得る。示された非常帯域幅部分は、初期帯域幅部分、ランダムアクセスのために基地局105-cによって構成されるデフォルト(たとえば、専用)帯域幅部分、またはランダムアクセスをサポートする(たとえば、PRACHなどの、ランダムアクセスリソースを含む)任意の他の帯域幅部分であり得る。510において送信される非常帯域幅部分の指示は、505において交換されるメッセージの一部としてを含めて、いつでも基地局105-cによって送信され得ることを理解されたい。いくつかの場合、基地局105-cは510において、RRCシグナリングを介して指示を送信し得る。基地局105-cによって、後続のサービングビーム障害の際にUE115-cがビーム回復およびランダムアクセスのために使用すべき非常帯域幅部分を特定することで、有利なことに、いずれか1つの帯域幅部分に含まれるランダムアクセスリソースに過剰に負荷がかかるのを避けることができ、それは、基地局105-cが、所与の非常帯域幅部分にどれだけのUE115が割り振られるかを制御できるからである。
【０１１５】
515において、基地局105-cは、(たとえば、プロセス400の態様410を参照して説明されたように)基地局105-cとのワイヤレス通信のための有効帯域幅部分として使用するために異なる帯域幅部分(初期帯域幅部分とは異なる)に切り替えるようにUE115-cを構成し得る。
【０１１６】
520において、UE115-cは、有効帯域幅部分においてサービングビームの障害を特定し得る(たとえば、プロセス400の態様415を参照して説明されたように)。
【０１１７】
525において、UE115-cは、有効帯域幅部分について、ランダムアクセス手順に対するサポートのレベルを決定し得る(たとえば、プロセス400の態様420を参照して説明されたように)。
【０１１８】
530において、UE115-cは、520において有効帯域幅部分におけるサービングビームの障害を特定したこと、および/または525においてランダムアクセス手順に対するサポートのレベルを決定したことに基づいて(たとえば、それに応答して)、510において受信された指示に基づいて非常帯域幅部分を決定し得る。たとえば、UE115-cは、510において示される帯域幅部分として非常帯域幅部分を決定し得る。
【０１１９】
535において、530において決定された非常帯域幅部分が有効帯域幅部分と異なる場合、UE115-cは、530において決定された非常帯域幅部分を利用することに切り替え得る。非常帯域幅部分に切り替えることは、非常帯域幅部分を使用するようにUE115-cに含まれる送信機または受信機を構成することを含み得る。
【０１２０】
540において、UE115-cおよび基地局105-cは、530において決定された非常帯域幅部分を使用してランダムアクセス手順を実行し得る。たとえば、UE115-cは、ビーム回復要求(たとえば、プロセス300を参照して説明されたようなビーム回復要求)を基地局105-cに送信し得る。
【０１２１】
いくつかの場合、UE115-cは、有効帯域幅部分に含まれる存在可能なビーム候補の数に基づいて、540において実行されるランダムアクセス手順を決定し得る。たとえば、UE115-cは、(たとえば、520におけるサービングビームの障害の特定の後または前に起こり得る、プロセス300を参照して説明されたように存在可能なビーム候補を特定することによって)有効帯域幅部分に含まれる存在可能なビーム候補の数を決定することができ、有効帯域幅部分に含まれる存在可能なビーム候補の数が閾値を満たす、または超える場合、CFRA手順を選択することができ、有効帯域幅部分に含まれる存在可能なビーム候補の数が閾値未満である場合、CBRA手順を選択することができる。いくつかの場合、閾値は1であることがあり、UE115-cは、有効帯域幅部分が少なくとも1つの存在可能なビーム候補を含む場合、CFRA手順を選択することができ、UE115-cは、有効帯域幅部分が存在可能なビーム候補を含まない場合、CBRA手順を選択することができる。いくつかの場合、UE115-cは、有効帯域幅部分について、525においてランダムアクセスに対するサポートのレベルを決定する前に、540において実行されるランダムアクセス手順を決定し得るが、UE115-cは540において実行されるランダムアクセス手順をいつでも決定し得ることを理解されたい。
【０１２２】
いくつかの場合、UE115-cは、非常帯域幅部分に含まれる存在可能なビーム候補の数に基づいて、540において実行されるランダムアクセス手順を決定し得る。たとえば、UE115-cは、(たとえば、310におけるサービングビームの障害の特定の後または前に起こり得る、プロセス300を参照して説明されたように存在可能なビーム候補を特定することによって)非常帯域幅部分に含まれる存在可能なビーム候補の数を決定することができ、非常帯域幅部分に含まれる存在可能なビーム候補の数が閾値を満たす、または超える場合、CFRA手順を選択することができ、非常帯域幅部分に含まれる存在可能なビーム候補の数が閾値未満である場合、CBRA手順を選択することができる。いくつかの場合、閾値は1であることがあり、UE115-cは、非常帯域幅部分が少なくとも1つの存在可能なビーム候補を含む場合、CFRA手順を選択することができ、UE115-cは、非常帯域幅部分が存在可能なビーム候補を含まない場合、CBRA手順を選択することができる。いくつかの場合、UE115-cは、530において非常帯域幅部分を決定した後に、540において実行されるランダムアクセス手順を決定し得るが、UE115-cは540において実行されるランダムアクセス手順をいつでも決定し得ることを理解されたい。
【０１２３】
プロセス500は単一の非常帯域幅を利用するが、プロセス500は、任意の数の非常帯域幅を利用するように修正され得ることを理解されたい。たとえば、510において、指示は、アップリンクに対して1つおよびダウンリンクに対して1つの、非常帯域幅部分のペアを示すことができ、UE115-cは、540において実行されるランダムアクセス手順のアップリンクの態様のために示された非常帯域幅部分のうちの一方を使用し、540において実行されるランダムアクセス手順のダウンリンクの態様のために示された非常帯域幅部分のうちの他方を使用する。
【０１２４】
図6は、本開示の様々な態様による、多帯域幅部分環境におけるビーム回復をサポートするプロセス600の例を示す。いくつかの例では、プロセス600は、ワイヤレス通信システム100の態様によって実施され得る。たとえば、プロセス600は、図1を参照して説明されたような基地局105およびUE115の例であり得る、基地局105-dおよびUE115-dによって実施され得る。
【０１２５】
605において、UE115-dおよび基地局105-dは、(たとえば、プロセス400の態様405を参照して説明されたように)初期帯域幅部分においてワイヤレス通信を確立するために、1つまたは複数のメッセージを交換し得る。
【０１２６】
610において、基準信号を、基地局105-dは送信することができ、UE115-dは受信することができる。610において送信される基準信号はいくつかの場合、プロセス300を参照して説明されたように、存在可能なビーム候補を特定するためにUE115によって使用されるのと同じ基準信号であり得る。したがって、610において送信される基準信号は、SSBに含まれることがあり、CSI-RSを含むことがあり、またはこれらの組合せであることがある。基地局105-dによって一度だけ送信されるものとして図6では示されているが、基地局105-dは、610において送信される基準信号を何回でも送信できることを理解されたい。たとえば、基地局105-dは、プロセス600の時間枠全体で、スケジュール(たとえば、定期的なスケジュール)に従って610において送信される基準信号を送信し得る。さらに、基地局105-dは、初期帯域幅部分、または、基地局105-dが有効帯域幅部分として使用するようにUE115-dを構成し得る異なる帯域幅部分を含む、任意の帯域幅部分において、610で送信された基準信号を送信し得る。いくつかの場合、基地局105-dは、所与の時間において基地局105-dによってサポートされるすべての有効帯域幅部分において、610で送信される基準信号を送信し得る。
【０１２７】
615において、基地局105-dは、610において送信される基準信号とランダムアクセスリソース(たとえば、PRACHを搬送するビーム)との間の対応付けの指示をUE115-dに送信し得る。ランダムアクセスリソースは、基地局105-dが610において基準信号を送信する帯域幅部分と、同じ帯域幅部分または異なる帯域幅部分にあり得る。さらに、基地局105-dは、610において基準信号を送信する前、またはその後に、対応付けの指示を送信し得る。いくつかの場合、基地局105-dは、RRCシグナリングを使用して615において指示を送信し得る。いくつかの場合、610において送信される基準信号は、615において示されるランダムアクセスリソースと準併置されることがあり、615において送信される指示は準併置を示すことがある。
【０１２８】
620において、UE115-dは、有効帯域幅部分においてサービングビームの障害を特定し得る(たとえば、プロセス400の態様415を参照して説明されたように)。有効帯域幅部分は、初期帯域幅部分と同じであることもないこともあり、それは、605における通信の確立と620におけるサービングビームの障害の特定との間で、任意の回数の帯域幅部分の切り替えが発生した可能性があるからである。
【０１２９】
625において、UE115-dは、有効帯域幅部分におけるサービングビームの障害を520において特定した(および/または、有効帯域幅部分について、本明細書で説明されるようなランダムアクセス手順に対するサポートのレベルを決定した)ことに基づいて(たとえば、それに応答して)、610において受信された基準信号および615において受信された指示に基づいて非常帯域幅部分を決定し得る。たとえば、UE115-dは、610において受信される基準信号および615において受信される指示によって示される対応付けに基づいて、対応付けられたランダムアクセスリソースを含む帯域幅部分を決定し得る。UE115-dは、対応付けられたランダムアクセスリソースを含む非常帯域幅部分を決定し得る。したがって、UE115-dはいくつかの場合、UE115-dがビーム候補を特定するためにも使用し得る基準信号を含む基準信号に基づいて、非常帯域幅部分を決定し得る。
【０１３０】
630において、625において決定された非常帯域幅部分が有効帯域幅部分と異なる場合、UE115-dは、625において決定された非常帯域幅部分を利用することに切り替え得る。非常帯域幅部分に切り替えることは、非常帯域幅部分を使用するようにUE115-dに含まれる送信機または受信機を構成することを含み得る。
【０１３１】
635において、UE115-dおよび基地局105-dは、625において決定された非常帯域幅部分を使用してランダムアクセス手順を実行し得る。たとえば、UE115-dは、ビーム回復要求(たとえば、プロセス300を参照して説明されたようなビーム回復要求)を基地局105-dに送信し得る。
【０１３２】
いくつかの場合、UE115-dは、有効帯域幅部分に含まれる存在可能なビーム候補の数に基づいて、635において実行されるランダムアクセス手順を決定し得る。たとえば、UE115-dは、(たとえば、620におけるサービングビームの障害の特定の後または前に起こり得る、プロセス300を参照して説明されたように存在可能なビーム候補を特定することによって)有効帯域幅部分に含まれる存在可能なビーム候補の数を決定することができ、有効帯域幅部分に含まれる存在可能なビーム候補の数が閾値を満たす、または超える場合、CFRA手順を選択することができ、有効帯域幅部分に含まれる存在可能なビーム候補の数が閾値未満である場合、CBRA手順を選択することができる。いくつかの場合、閾値は1であることがあり、UE115-dは、有効帯域幅部分が少なくとも1つの存在可能なビーム候補を含む場合、CFRA手順を選択することができ、UE115-dは、有効帯域幅部分が存在可能なビーム候補を含まない場合、CBRA手順を選択することができる。いくつかの場合、UE115-dは、620においてサービングビームの障害を特定する前に、635において実行されるランダムアクセス手順を決定し得るが、UE115-dは635において実行されるランダムアクセス手順をいつでも決定し得ることを理解されたい。
【０１３３】
いくつかの場合、UE115-dは、非常帯域幅部分に含まれる存在可能なビーム候補の数に基づいて、635において実行されるランダムアクセス手順を決定し得る。たとえば、UE115-dは、(たとえば、310におけるサービングビームの障害の特定の後または前に起こり得る、プロセス300を参照して説明されたように存在可能なビーム候補を特定することによって)非常帯域幅部分に含まれる存在可能なビーム候補の数を決定することができ、非常帯域幅部分に含まれる存在可能なビーム候補の数が閾値を満たす、または超える場合、CFRA手順を選択することができ、非常帯域幅部分に含まれる存在可能なビーム候補の数が閾値未満である場合、CBRA手順を選択することができる。いくつかの場合、閾値は1であることがあり、UE115-dは、非常帯域幅部分が少なくとも1つの存在可能なビーム候補を含む場合、CFRA手順を選択することができ、UE115-dは、非常帯域幅部分が存在可能なビーム候補を含まない場合、CBRA手順を選択することができる。いくつかの場合、UE115-dは、624において非常帯域幅部分を決定した後に、635において実行されるランダムアクセス手順を決定し得るが、UE115-dは635において実行されるランダムアクセス手順をいつでも決定し得ることを理解されたい。
【０１３４】
プロセス600は単一の非常帯域幅を利用するが、プロセス600は、任意の数の非常帯域幅を利用するように修正され得ることを理解されたい。たとえば、610において、指示は、アップリンクに対して1つおよびダウンリンクに対して1つの、非常帯域幅部分のペアを示すことができ、UE115-dは、635において実行されるランダムアクセス手順のアップリンクの態様のために示された非常帯域幅部分のうちの一方を使用し、635において実行されるランダムアクセス手順のダウンリンクの態様のために示された非常帯域幅部分のうちの他方を使用する。
【０１３５】
図7は、本開示の態様による、多帯域幅部分環境におけるビーム回復をサポートするワイヤレスデバイス705のブロック図700を示す。ワイヤレスデバイス705は、本明細書で説明されるようなユーザ機器(UE)115の態様の例であり得る。ワイヤレスデバイス705は、受信機710、UE通信マネージャ715、および送信機720を含み得る。ワイヤレスデバイス705はプロセッサも含み得る。これらの構成要素の各々は、(たとえば、1つまたは複数のバスを介して)互いに通信していることがある。
【０１３６】
受信機710は、パケット、ユーザデータ、または様々な情報チャネルと関連付けられる制御情報などの情報(たとえば、制御チャネル、データチャネル、および多帯域幅部分環境におけるビーム回復に関する情報など)を受信し得る。情報はデバイスの他の構成要素に受け渡され得る。受信機710は、図10を参照して説明されるトランシーバ1035の態様の例であり得る。受信機710は、単一のアンテナまたはアンテナのセットを利用し得る。
【０１３７】
UE通信マネージャ715は、図10を参照して説明されるUE通信マネージャ1015の態様の例であり得る。
【０１３８】
UE通信マネージャ715および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ715、および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。UE通信マネージャ715、および/またはその様々な副構成要素のうちの少なくともいくつかは、機能の部分が1つまたは複数の物理デバイスによって異なる物理的位置に実装されるように分散されることを含めて、様々な場所に物理的に位置し得る。いくつかの例では、UE通信マネージャ715、および/またはその様々な副構成要素のうちの少なくともいくつかは、本開示の様々な態様による別個のおよび異なる構成要素であり得る。他の例では、UE通信マネージャ715および/またはその様々な副構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と組み合わされ得る。
【０１３９】
UE通信マネージャ715は、ワイヤレス通信のためにUEによって利用されるキャリアの有効帯域幅部分におけるサービングビームの障害を特定することができ、キャリアの有効帯域幅部分について、ランダムアクセス手順に対するサポートのレベルを決定することができ、サービングビームの障害およびサポートのレベルに基づいて、ランダムアクセス手順をサポートするキャリアの非常帯域幅部分を決定することができ、キャリアの非常帯域幅部分を使用してランダムアクセス手順を実行することができる。
【０１４０】
送信機720は、デバイスの他の構成要素によって生成された信号を送信し得る。いくつかの例では、送信機720は、トランシーバモジュールにおいてレシーバ710と併置され得る。たとえば、送信機720は、図10を参照して説明されるトランシーバ1035の態様の例であり得る。送信機720は、単一のアンテナまたはアンテナのセットを利用し得る。
【０１４１】
図8は、本開示の態様による、多帯域幅部分環境におけるビーム回復をサポートするワイヤレスデバイス805のブロック図800を示す。ワイヤレスデバイス805は、図7を参照して説明されたようなワイヤレスデバイス705またはUE115の態様の例であり得る。ワイヤレスデバイス805は、受信機810、UE通信マネージャ815、および送信機820を含み得る。ワイヤレスデバイス805はまた、プロセッサを含み得る。これらの構成要素の各々は、(たとえば、1つまたは複数のバスを介して)互いに通信していることがある。
【０１４２】
受信機810は、パケット、ユーザデータ、または様々な情報チャネルと関連付けられる制御情報などの情報(たとえば、制御チャネル、データチャネル、および多帯域幅部分環境におけるビーム回復に関する情報など)を受信し得る。情報は、デバイスの他の構成要素に渡され得る。受信機810は、図10を参照して説明されるトランシーバ1035の態様の例であり得る。受信機810は、単一のアンテナまたはアンテナのセットを利用し得る。
【０１４３】
UE通信マネージャ815は、図10を参照して説明されるUE通信マネージャ1015の態様の例であり得る。UE通信マネージャ815はまた、ビーム障害検出構成要素825、ランダムアクセスサポート構成要素830、非常帯域幅部分構成要素835、およびランダムアクセス構成要素840を含み得る。
【０１４４】
ビーム障害検出構成要素825は、ワイヤレス通信のためにUEによって利用されるキャリアの有効帯域幅部分におけるサービングビームの障害を特定し得る。
【０１４５】
ランダムアクセスサポート構成要素830は、キャリアの有効帯域幅部分について、ランダムアクセス手順に対するサポートのレベルを決定し得る。
【０１４６】
非常帯域幅部分構成要素835は、サービングビームの障害およびサポートのレベルに基づいて、ランダムアクセス手順をサポートするキャリアの非常帯域幅部分を決定し得る。いくつかの場合、非常帯域幅部分構成要素835は、以前のランダムアクセス手順に基づいてキャリアの非常帯域幅部分を決定し得る。いくつかの場合、非常帯域幅部分構成要素835は、基地局から、キャリアの非常帯域幅部分の指示を受信し得る。いくつかの場合、非常帯域幅部分構成要素835は、キャリアの有効帯域幅部分において送信される基準信号に基づいてキャリアの非常帯域幅部分を決定し得る。いくつかの場合、キャリアの非常帯域幅部分は、キャリアの有効帯域幅部分である。いくつかの場合、キャリアの有効帯域幅部分は第1の帯域幅部分であり、キャリアの非常帯域幅部分は第2の帯域幅部分である。
【０１４７】
いくつかの場合、非常帯域幅部分構成要素835は、基地局から構成情報を受信するように受信機810を構成することができ、構成情報に少なくとも一部基づいて、キャリアの有効帯域幅部分を使用するように受信機810または送信機820を構成することができる。いくつかの場合、非常帯域幅部分構成要素835は、キャリアの非常帯域幅部分を決定したことに少なくとも一部基づいて、キャリアの非常帯域幅部分を使用するように受信機810または送信機820を構成し得る。
【０１４８】
ランダムアクセス構成要素840は、キャリアの非常帯域幅部分を使用してランダムアクセス手順を実行し得る。
【０１４９】
送信機820は、デバイスの他の構成要素によって生成された信号を送信し得る。いくつかの例では、送信機820は、トランシーバモジュールにおいてレシーバ810と併置され得る。たとえば、送信機820は、図10を参照して説明されるトランシーバ1035の態様の例であり得る。送信機820は、単一のアンテナまたはアンテナのセットを利用し得る。
【０１５０】
図9は、本開示の態様による、多帯域幅部分環境におけるビーム回復をサポートするUE通信マネージャ915のブロック図900を示す。UE通信マネージャ915は、図7、図8、および図10を参照して説明されるUE通信マネージャ715、UE通信マネージャ815、またはUE通信マネージャ1015の態様の例であり得る。UE通信マネージャ915は、ビーム障害検出構成要素920、ランダムアクセスサポート構成要素925、非常帯域幅部分構成要素930、ランダムアクセス構成要素935、初期帯域幅部分構成要素940、指示構成要素945、対応付け構成要素950、ビーム候補構成要素955、およびランダムアクセス選択構成要素960を含み得る。これらのモジュールの各々は、(たとえば、1つまたは複数のバスを介して)互いと直接または間接的に通信していることがある。
【０１５１】
ビーム障害検出構成要素920は、ワイヤレス通信のためにUEによって利用されるキャリアの有効帯域幅部分におけるサービングビームの障害を特定し得る。
【０１５２】
ランダムアクセスサポート構成要素925は、キャリアの有効帯域幅部分について、ランダムアクセス手順に対するサポートのレベルを決定し得る。
【０１５３】
非常帯域幅部分構成要素930は、サービングビームの障害およびサポートのレベルに基づいて、ランダムアクセス手順をサポートするキャリアの非常帯域幅部分を決定し得る。いくつかの場合、キャリアの非常帯域幅部分は、キャリアの有効帯域幅部分である。いくつかの場合、キャリアの有効帯域幅部分は第1の帯域幅部分であり、キャリアの非常帯域幅部分は第2の帯域幅部分である。
【０１５４】
いくつかの場合、非常帯域幅部分構成要素930は、基地局から構成情報を受信するように受信機を構成することができ、構成情報に少なくとも一部基づいて、キャリアの有効帯域幅部分を使用するように受信機または送信機を構成することができる。いくつかの場合、非常帯域幅部分構成要素930は、キャリアの非常帯域幅部分を決定したことに少なくとも一部基づいて、キャリアの非常帯域幅部分を使用するように受信機または送信機を構成し得る。
【０１５５】
ランダムアクセス構成要素935は、キャリアの非常帯域幅部分を使用してランダムアクセス手順を実行し得る。
【０１５６】
いくつかの場合、非常帯域幅部分構成要素930は、以前のランダムアクセス手順に基づいてキャリアの非常帯域幅部分を決定し得る。キャリアの非常帯域幅部分を決定することは、以前のランダムアクセス手順のために使用されるものとしてキャリアの初期帯域幅部分を特定することを含むことがあり、初期帯域幅部分構成要素940は、キャリアの非常帯域幅部分をキャリアの初期帯域幅部分として決定し得る。
【０１５７】
いくつかの場合、非常帯域幅部分構成要素930は、基地局から、キャリアの非常帯域幅部分の指示を受信し得る。指示構成要素945は、RRCシグナリングを介してキャリアの非常帯域幅部分の指示を受信し得る。
【０１５８】
いくつかの場合、非常帯域幅部分構成要素930は、キャリアの有効帯域幅部分において送信される基準信号に基づいてキャリアの非常帯域幅部分を決定し得る。対応付け構成要素950は、基準信号と、ランダムアクセスリソースを含むビームとの間の対応付けを特定し、対応付けに基づいてキャリアの非常帯域幅部分を決定し得る。対応付け構成要素950は、RRCシグナリングを介して対応付けの指示を受信し得る。いくつかの場合、基準信号は、ランダムアクセスリソースを含むビームと準併置される。いくつかの場合、基準信号は、同期信号、CSI-RS、またはこれらの組合せを含む。ビーム候補構成要素955は、基準信号に基づいてビーム候補を特定し得る。
【０１５９】
いくつかの場合、ランダムアクセス選択構成要素960は、キャリアの有効帯域幅部分のための存在可能なビーム候補の数に基づいて、ランダムアクセス手順を選択し得る。いくつかの場合、ランダムアクセス手順を選択することは、キャリアの有効帯域幅部分における存在可能なビーム候補の数が少なくとも1である場合、コンテンションフリーランダムアクセス手順としてランダムアクセス手順を選択することを含む。いくつかの場合、ランダムアクセス手順を選択することは、キャリアの有効帯域幅部分における存在可能なビーム候補の数が0である場合、コンテンションベースランダムアクセス手順としてランダムアクセス手順を選択することを含む。
【０１６０】
いくつかの場合、ランダムアクセス選択構成要素960は、キャリアの非常帯域幅部分のための存在可能なビーム候補の数に基づいて、ランダムアクセス手順を選択し得る。いくつかの場合、ランダムアクセス手順を選択することは、キャリアの非常帯域幅部分における存在可能なビーム候補の数が少なくとも1である場合、コンテンションフリーランダムアクセス手順としてランダムアクセス手順を選択することを含む。いくつかの場合、ランダムアクセス手順を選択することは、キャリアの非常帯域幅部分における存在可能なビーム候補の数が0である場合、コンテンションベースランダムアクセス手順としてランダムアクセス手順を選択することを含む。
【０１６１】
図10は、本開示の態様による、多帯域幅部分環境におけるビーム回復をサポートするデバイス1005を含むシステム1000の図を示す。デバイス1005は、たとえば、図7および図8を参照して上で説明されたような、ワイヤレスデバイス705、ワイヤレスデバイス805、またはUE115の構成要素の例であり、またはそれらを含み得る。デバイス1005は、UE通信マネージャ1015、プロセッサ1020、メモリ1025、ソフトウェア1030、トランシーバ1035、アンテナ1040、およびI/Oコントローラ1045を含む、通信を送信および受信するための構成要素を含む、双方向音声およびデータ通信のための構成要素を含み得る。これらの構成要素は、1つまたは複数のバス(たとえば、バス1010)を介して電子的に通信していることがある。デバイス1005は、1つまたは複数の基地局105とワイヤレスに通信することができる。
【０１６２】
プロセッサ1020は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1020は、メモリコントローラを使用して、メモリアレイを動作させるように構成され得る。他の場合には、メモリコントローラはプロセッサ1020に組み込まれ得る。プロセッサ1020は、様々な機能(たとえば、多帯域幅部分環境におけるビーム回復をサポートする機能またはタスク)を実行するためにメモリに記憶されたコンピュータ可読命令を実行するように構成され得る。
【０１６３】
メモリ1025は、ランダムアクセスメモリ(RAM)および読取り専用メモリ(ROM)を含み得る。メモリ1025は、実行されると、プロセッサに、本明細書で説明される様々な機能を実行させる命令を含む、コンピュータ可読のコンピュータ実行可能ソフトウェア1030を記憶し得る。いくつかの場合、メモリ1025は、特に、周辺構成要素またはデバイスとの相互作用などの、基本的なハードウェアまたはソフトウェア動作を制御し得る基本入出力システム(BIOS)を含み得る。
【０１６４】
ソフトウェア1030は、多帯域幅部分環境におけるビーム回復をサポートするためのコードを含む、本開示の態様を実装するためのコードを含み得る。ソフトウェア1030は、システムメモリまたは他のメモリなどの非一時的コンピュータ可読媒体に記憶され得る。いくつかの場合、ソフトウェア1030は、プロセッサによって直接実行可能ではないことがあるが、(たとえば、コンパイルおよび実行されると)本明細書で説明される機能をコンピュータに実行させることがある。
【０１６５】
トランシーバ1035は、上で説明されたように、1つまたは複数のアンテナ、有線リンク、またはワイヤレスリンクを介して双方向に通信し得る。たとえば、トランシーバ1035は、ワイヤレストランシーバを表すことがあり、別のワイヤレストランシーバと双方向に通信し得る。トランシーバ1035はまた、パケットを変調し、変調されたパケットを送信のためにアンテナに与えるための、またアンテナから受信されたパケットを復調するための、モデムを含み得る。
【０１６６】
いくつかの場合、ワイヤレスデバイスは、単一のアンテナ1040を含み得る。しかしながら、いくつかの場合、デバイスは、複数のワイヤレス送信を同時に送信または受信することが可能であり得る、2つ以上のアンテナ1040を有し得る。
【０１６７】
I/Oコントローラ1045は、デバイス1005のための入出力信号を管理し得る。I/Oコントローラ1045はまた、デバイス1005に組み込まれていない周辺装置を管理し得る。いくつかの場合、I/Oコントローラ1045は、外部周辺装置への物理的な接続またはポートを表し得る。いくつかの場合、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または別の既知のオペレーティングシステムなどのオペレーティングシステムを利用し得る。いくつかの場合、I/Oコントローラ1045は、モデム、キーボード、マウス、タッチスクリーン、または同様のデバイスを表し、またはそれと対話し得る。いくつかの場合、I/Oコントローラ1045は、プロセッサの一部として実装され得る。いくつかの場合、ユーザは、I/Oコントローラ1045を介して、またはI/Oコントローラ1045によって制御されるハードウェア構成要素を介して、デバイス1005と対話し得る。
【０１６８】
図11は、本開示の態様による、多帯域幅部分環境におけるビーム回復をサポートするワイヤレスデバイス1105のブロック図1100を示す。ワイヤレスデバイス1105は、本明細書で説明されるような、基地局105の態様の例であり得る。ワイヤレスデバイス1105は、受信機1110、基地局通信マネージャ1115、および送信機1120を含み得る。ワイヤレスデバイス1105はまた、プロセッサを含み得る。これらの構成要素の各々は、(たとえば、1つまたは複数のバスを介して)互いに通信していることがある。
【０１６９】
受信機1110は、パケット、ユーザデータ、または様々な情報チャネルと関連付けられる制御情報などの情報(たとえば、制御チャネル、データチャネル、および多帯域幅部分環境におけるビーム回復に関する情報など)を受信し得る。情報は、デバイスの他の構成要素に渡され得る。受信機1110は、図14を参照して説明されるトランシーバ1435の態様の例であり得る。受信機1110は、単一のアンテナまたはアンテナのセットを利用し得る。
【０１７０】
基地局通信マネージャ1115は、図14を参照して説明された基地局通信マネージャ1415の態様の例であり得る。
【０１７１】
基地局通信マネージャ1115および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1115および/またはその様々な副構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明される機能を実行するように設計されたそれらの任意の組合せによって実行され得る。基地局通信マネージャ1115および/またはその様々な副構成要素のうちの少なくともいくつかは、機能の部分が1つまたは複数の物理デバイスによって異なる物理的位置に実装されるように分散されることを含めて、様々な場所に物理的に配置され得る。いくつかの例では、基地局通信マネージャ1115および/またはその様々な副構成要素のうちの少なくともいくつかは、本開示の様々な態様による別個の異なる構成要素であり得る。他の例では、基地局通信マネージャ1115および/またはその様々な副構成要素のうちの少なくともいくつかは、限定はされないが、I/O構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【０１７２】
基地局通信マネージャ1115は、ワイヤレス通信のためのキャリアの有効帯域幅部分としてキャリアの第1の帯域幅部分を利用するようにUEを構成し、UEに、後続のランダムアクセス手順のために使用すべきキャリアの非常帯域幅部分の指示を送信し得る。
【０１７３】
送信機1120は、デバイスの他の構成要素によって生成される信号を送信し得る。いくつかの例では、送信機1120は、トランシーバモジュールの中の受信機1110と一緒に置かれ得る。たとえば、送信機1120は、図14を参照して説明されるトランシーバ1435の態様の例であり得る。送信機1120は、単一のアンテナまたはアンテナのセットを利用し得る。
【０１７４】
図12は、本開示の態様による、多帯域幅部分環境におけるビーム回復をサポートするワイヤレスデバイス1205のブロック図1200を示す。ワイヤレスデバイス1205は、図11を参照して説明されたようなワイヤレスデバイス1105または基地局105の態様の例であり得る。ワイヤレスデバイス1205は、受信機1210、基地局通信マネージャ1215、および送信機1220を含み得る。ワイヤレスデバイス1205はプロセッサも含み得る。これらの構成要素の各々は、(たとえば、1つまたは複数のバスを介して)互いに通信していることがある。
【０１７５】
受信機1210は、パケット、ユーザデータ、または様々な情報チャネルと関連付けられる制御情報などの情報(たとえば、制御チャネル、データチャネル、および多帯域幅部分環境におけるビーム回復に関する情報など)を受信し得る。情報はデバイスの他の構成要素に受け渡され得る。受信機1210は、図14を参照して説明されるトランシーバ1435の態様の例であり得る。受信機1210は、単一のアンテナまたはアンテナのセットを利用し得る。
【０１７６】
基地局通信マネージャ1215は、図14を参照して説明される基地局通信マネージャ1415の態様の例であり得る。基地局通信マネージャ1215は、帯域幅部分構成要素1225および非常帯域幅部分構成要素1230も含み得る。
【０１７７】
帯域幅部分構成要素1225は、ワイヤレス通信のためのキャリアの有効帯域幅部分としてキャリアの第1の帯域幅部分を利用するようにUEを構成し得る。
【０１７８】
非常帯域幅部分構成要素1230は、UEに、後続のランダムアクセス手順のために使用すべきキャリアの非常帯域幅部分の指示を送信し得る。いくつかの場合、キャリアの非常帯域幅部分は、キャリアの有効帯域幅部分である。いくつかの場合、キャリアの非常帯域幅部分は、第2の帯域幅部分である。
【０１７９】
送信機1220は、デバイスの他の構成要素によって生成される信号を送信し得る。いくつかの例では、送信機1220は、トランシーバモジュールの中の受信機1210と一緒に置かれ得る。たとえば、送信機1220は、図14を参照して説明されるトランシーバ1435の態様の例であり得る。送信機1220は、単一のアンテナまたはアンテナのセットを利用し得る。
【０１８０】
図13は、本開示の態様による、多帯域幅部分環境におけるビーム回復をサポートする基地局通信マネージャ1315のブロック図1300を示す。基地局通信マネージャ1315は、図11、図12、および図14を参照して説明される基地局通信マネージャ1415の態様の例であり得る。基地局通信マネージャ1315は、帯域幅部分構成要素1320、非常帯域幅部分構成要素1325、基準信号構成要素1330、ランダムアクセスリソース構成要素1335、対応付け構成要素1340、指示構成要素1345、および構成用構成要素1350を含み得る。これらのモジュールの各々は、直接または間接的に(たとえば、1つまたは複数のバスを介して)互いに通信し得る。
【０１８１】
帯域幅部分構成要素1320は、ワイヤレス通信のためのキャリアの有効帯域幅部分としてキャリアの第1の帯域幅部分を利用するようにUEを構成し得る。
【０１８２】
非常帯域幅部分構成要素1325は、UEに、後続のランダムアクセス手順のために使用すべきキャリアの非常帯域幅部分の指示を送信し得る。いくつかの場合、キャリアの非常帯域幅部分は、キャリアの有効帯域幅部分である。いくつかの場合、キャリアの非常帯域幅部分は、第2の帯域幅部分である。
【０１８３】
いくつかの場合、キャリアの非常帯域幅部分の指示を送信することは、UEに、キャリアの有効帯域幅部分において基準信号を送信することを含む。基準信号構成要素1330は、基準信号を送信し得る。ランダムアクセスリソース構成要素1335は、UEに、ランダムアクセスリソースを含むビームを送信し得る。対応付け構成要素1340は、UEに、基準信号と、ランダムアクセスリソースを含むビームとの間の対応付けの指示を送信し得る。いくつかの場合、対応付け構成要素1340は、RRCシグナリングを介して対応付けの指示を送信し得る。
【０１８４】
いくつかの場合、キャリアの非常帯域幅部分の指示を送信することは、RRCシグナリングを介してキャリアの非常帯域幅部分の明示的な指示を送信することを含む。指示構成要素1345は、非常帯域幅部分の指示を送信し得る。
【０１８５】
いくつかの場合、キャリアの非常帯域幅部分の指示を送信することは、UEによる以前のランダムアクセス手順に基づいてキャリアの非常帯域幅部分を決定するようにUEを構成することを含む。構成用構成要素1350は、UEによる以前のランダムアクセス手順に基づいてキャリアの非常帯域幅部分を決定するようにUEを構成し得る。
【０１８６】
図14は、本開示の態様による、多帯域幅部分環境におけるビーム回復をサポートするデバイス1405を含むシステム1400の図を示す。デバイス1405は、たとえば、図1を参照して上で説明されたような、基地局105の構成要素の例であり、またはそれを含み得る。デバイス1405は、基地局通信マネージャ1415、プロセッサ1420、メモリ1425、ソフトウェア1430、トランシーバ1435、アンテナ1440、ネットワーク通信マネージャ1445、および局間通信マネージャ1450を含む、通信を送信および受信するための構成要素を含む双方向の音声とデータ通信のための構成要素を含み得る。これらの構成要素は、1つまたは複数のバス(たとえば、バス1410)を介して電子的に通信していることがある。デバイス1405は、1つまたは複数のUE115とワイヤレスに通信し得る。
【０１８７】
プロセッサ1420は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1420は、メモリコントローラを使用してメモリアレイを動作させるように構成され得る。他の場合には、メモリコントローラは、プロセッサ1420へと統合され得る。プロセッサ1420は、様々な機能(たとえば、多帯域幅部分環境におけるビーム回復をサポートする機能またはタスク)を実行するためにメモリに記憶されたコンピュータ可読命令を実行するように構成され得る。
【０１８８】
メモリ1425はRAMおよびROMを含み得る。メモリ1425は、実行されると、プロセッサに本明細書で説明される様々な機能を実行させる命令を含むコンピュータ可読のコンピュータ実行可能ソフトウェア1430を記憶し得る。いくつかの場合、メモリ1425は、特に、周辺構成要素またはデバイスとの対話などの、基本ハードウェアまたはソフトウェア動作を制御し得るBIOSを含み得る。
【０１８９】
ソフトウェア1430は、多帯域幅部分環境におけるビーム回復をサポートするためのコードを含む、本開示の態様を実装するためのコードを含み得る。ソフトウェア1430は、システムメモリまたは他のメモリなどの、非一時的コンピュータ可読媒体に記憶され得る。いくつかの場合、ソフトウェア1430は、プロセッサによって直接実行可能ではないことがあるが、(たとえば、コンパイルおよび実行されると)本明細書で説明される機能をコンピュータに実行させ得る。
【０１９０】
トランシーバ1435は、上で説明されたように、1つまたは複数のアンテナ、有線リンク、またはワイヤレスリンクを介して、双方向に通信し得る。たとえば、トランシーバ1435は、ワイヤレストランシーバを表すことができ、別のワイヤレストランシーバと双方向に通信することができる。トランシーバ1435はまた、パケットを変調し、変調されたパケットを送信するためにアンテナに与え、アンテナから受信されたパケットを復調するためのモデムを含み得る。
【０１９１】
いくつかの場合、ワイヤレスデバイスは、単一のアンテナ1440を含み得る。しかしながら、いくつかの場合、デバイスは、複数のワイヤレス送信を同時に送信または受信することが可能であり得る複数のアンテナ1440を有し得る。
【０１９２】
ネットワーク通信マネージャ1445は、(たとえば、1つまたは複数の有線バックホールリンクを介して)コアネットワークとの通信を管理し得る。たとえば、ネットワーク通信マネージャ1445は、1つまたは複数のUE115などの、クライアントデバイスのためのデータ通信の転送を管理し得る。
【０１９３】
局間通信マネージャ1450は、他の基地局105との通信を管理することができ、他の基地局105と協働してUE115との通信を制御するためのコントローラまたはスケジューラを含み得る。たとえば、局間通信マネージャ1450は、ビームフォーミングまたはジョイント送信などの様々な干渉緩和技法のために、UE115への送信のスケジューリングを協調させ得る。いくつかの例では、局間通信マネージャ1450は、基地局105間の通信を行うために、Long Term Evolution(LTE)/LTE-Aワイヤレス通信ネットワーク技術内のX2インターフェースを与え得る。
【０１９４】
図15は、本開示の態様による、多帯域幅部分環境におけるビーム回復のための方法1500を示すフローチャートを示す。方法1500の動作は、本明細書で説明されるように、UE115またはその構成要素によって実施され得る。たとえば、方法1500の動作は、図7から図10を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、以下で説明される機能の態様を、専用ハードウェアを使用して実行し得る。
【０１９５】
1505において、UE115は、ワイヤレス通信のためにUEによって利用されるキャリアの有効帯域幅部分におけるサービングビームの障害を特定し得る。1505の動作は、本明細書で説明される方法に従って実行され得る。いくつかの例では、1505の動作の態様は、図7から図10を参照して説明されたような、ビーム障害検出構成要素によって実行され得る。
【０１９６】
1510において、UE115は、キャリアの有効帯域幅部分について、ランダムアクセス手順に対するサポートのレベルを決定し得る。1510の動作は、本明細書で説明される方法に従って実行され得る。いくつかの例では、1510の動作の態様は、図7から図10を参照して説明されたような、ランダムアクセスサポート構成要素によって実行され得る。
【０１９７】
1515において、UE115は、サービングビームの障害およびサポートのレベルに少なくとも一部基づいて、ランダムアクセス手順をサポートするキャリアの非常帯域幅部分を決定し得る。1515の動作は、本明細書で説明される方法に従って実行され得る。いくつかの例では、1515の動作の態様は、図7から図10を参照して説明されたような、非常帯域幅部分構成要素によって実行され得る。
【０１９８】
1520において、UE115は、キャリアの非常帯域幅部分を使用してランダムアクセス手順を実行し得る。1520の動作は、本明細書で説明される方法に従って実行され得る。いくつかの例では、1520の動作の態様は、図7から図10を参照して説明されたような、ランダムアクセス構成要素によって実行され得る。
【０１９９】
図16は、本開示の態様による、多帯域幅部分環境におけるビーム回復のための方法1600を示すフローチャートを示す。方法1600の動作は、本明細書で説明されたような基地局105またはその構成要素によって実施され得る。たとえば、方法1600の動作は、図11〜図14を参照して説明されたような、基地局通信マネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して、以下で説明される機能の態様を実行し得る。
【０２００】
1605において、基地局105は、ワイヤレス通信のためのキャリアの有効帯域幅部分としてキャリアの第1の帯域幅部分を利用するようにユーザ機器(UE)を構成し得る。1605の動作は、本明細書で説明される方法に従って実行され得る。いくつかの例では、1605の動作の態様は、図11から図14を参照して説明されたような、帯域幅部分構成要素によって実行され得る。
【０２０１】
1610において、基地局105は、UEに、後続のランダムアクセス手順のために使用すべきキャリアの非常帯域幅部分の指示を送信し得る。1610の動作は、本明細書で説明される方法に従って実行され得る。いくつかの例では、1610の動作の態様は、図11から図14を参照して説明されたような、非常帯域幅部分構成要素によって実行され得る。
【０２０２】
上で説明された方法およびプロセスは可能な実装形態を表すこと、動作およびステップが再構成されるかまたは場合によっては変更され得ること、ならびに他の実装形態が可能であることに留意されたい。さらに、方法またはプロセスのうちの2つ以上からの態様が組み合わされ得る。
【０２０３】
本明細書で説明された技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、Universal Terrestrial Radio Access(UTRA)などの無線技術を実装し得る。CDMA2000は、IS-2000、IS-95およびIS-856規格をカバーする。IS-2000のリリースは、通常、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))と、CDMAの他の変形とを含む。TDMAシステムは、Global System for Mobile Communications(GSM)などの無線技術を実装し得る。
【０２０４】
OFDMAシステムは、Ultra Mobile Broadband(UMB)、Evolved UTRA(E-UTRA)、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSMは、「第3世代パートナーシッププロジェクト」(3GPP)という名称の団体からの文書の中に記載されている。CDMA2000およびUMBは、「第3世代パートナーシッププロジェクト2」(3GPP2)という名称の組織からの文書に記載されている。本明細書で説明された技法は、上述のシステムおよび無線技術、ならびに他のシステムおよび無線技術に使用され得る。LTE、LTE-A、LTE-A Pro、またはNRシステムの態様が例として説明されることがあり、LTE、LTE-A、LTE-A Pro、またはNRの用語が説明の大部分において使用されることがあるが、本明細書で説明される技法は、LTE、LTE-A、LTE-A Pro、またはNRの適用例以外に適用可能である。
【０２０５】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)中のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のコンポーネントキャリアを使用する通信もサポートすることができる。
【０２０６】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明される技法は、同期動作または非同期動作のいずれかのために使用され得る。
【０２０７】
本明細書で説明された情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０２０８】
本明細書の本開示に関して説明される様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであってもよいが、代わりに、プロセッサは、任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０２０９】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態は、本開示および添付の特許請求の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置に実装されるように分散されることを含めて、様々な場所に物理的に配置されてもよい。
【０２１０】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的媒体を含み得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記のものの組合せも、コンピュータ可読媒体の範囲内に含まれる。
【０２１１】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明した例示的なステップは、本開示の範囲から逸脱することなく、条件Aと条件Bの両方に基づき得る。言い換えれば、本明細書で使用される「に基づいて」という句は、「に少なくとも一部基づいて」という句と同様にして解釈されるものとする。
【０２１２】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２１３】
添付の図面に関して本明細書に記載される説明は、例示的な構成について説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０２１４】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２１５】
100  ワイヤレス通信システム
105、105-a、105-b、105-c、105-d  基地局
110  地理的カバレッジエリア
115、115-a、115-b、115-c、115-d  UE
125  通信リンク
130  コアネットワーク
132  バックホールリンク
134  バックホールリンク
200  キャリア構成
205、205-a、205-b、205-c  キャリア
210、210-a、210-b、210-c、210-d、210-e、210-f、210-g、210-h、210-i、210-j、210-k、210-l  帯域幅部分
300  プロセス
400  プロセス
500  プロセス
600  プロセス
700  ブロック図
705  ワイヤレスデバイス
710  受信機
715  UE通信マネージャ
720  送信機
800  ブロック図
805  ワイヤレスデバイス
810  受信機
815  UE通信マネージャ
820  送信機
825  ビーム障害検出構成要素
830  ランダムアクセスサポート構成要素
835  非常帯域幅部分構成要素
840  ランダムアクセス構成要素
900  ブロック図
915  UE通信マネージャ
920  ビーム障害検出構成要素
925  ランダムアクセスサポート構成要素
930  非常帯域幅部分構成要素
935  ランダムアクセス構成要素
940  初期帯域幅部分構成要素
945  指示構成要素
950  対応付け構成要素
955  ビーム候補構成要素
960  ランダムアクセス選択構成要素
1000  システム
1005  デバイス
1010  バス
1015  UE通信マネージャ
1020  プロセッサ
1025  メモリ
1030  ソフトウェア
1035  トランシーバ
1040  アンテナ
1045  I/Oコントローラ
1100  ブロック図
1105  ワイヤレスデバイス
1110  受信機
1115  基地局通信マネージャ
1120  送信機
1200  ブロック図
1205  ワイヤレスデバイス
1210  受信機
1215  基地局通信マネージャ
1220  送信機
1225  帯域幅部分構成要素
1230  非常帯域幅部分構成要素
1300  ブロック図
1315  基地局通信マネージャ
1320  帯域幅部分構成要素
1325  非常帯域幅部分構成要素
1330  基準信号構成要素
1335  ランダムアクセスリソース構成要素
1340  対応付け構成要素
1345  指示構成要素
1350  構成用構成要素
1400  システム
1405  デバイス
1410  バス
1415  基地局通信マネージャ
1420  プロセッサ
1425  メモリ
1430  ソフトウェア
1435  トランシーバ
1440  アンテナ
1445  ネットワーク通信マネージャ
1450  局間通信マネージャ
1500  方法
1600  方法
【図１】
2021516464.tif 000003
【図２】
2021516464.tif 000004
【図３】
2021516464.tif 000005
【図４】
2021516464.tif 000006
【図５】
2021516464.tif 000007
【図６】
2021516464.tif 000008
【図７】
2021516464.tif 000009
【図８】
2021516464.tif 000010
【図９】
2021516464.tif 000011
【図１０】
2021516464.tif 000012
【図１１】
2021516464.tif 000013
【図１２】
2021516464.tif 000014
【図１３】
2021516464.tif 000015
【図１４】
2021516464.tif 000016
【図１５】
2021516464.tif 000017
【図１６】
2021516464.tif 000018
【国際調査報告】
2021516464.tif 000019
2021516464.tif 000020